【誤訳訂正書】
【提出日】令和3年2月22日(2021.2.22)
【誤訳訂正１】
【訂正対象書類名】明細書
【訂正対象項目名】全文
【訂正方法】変更
【訂正の内容】
【発明の詳細な説明】
【発明の名称】導管用コネクタ
【技術分野】
【０００１】
本発明は、呼吸回路で使用するためのコネクタに関し、より具体的には、呼吸導管の終端部において使用されるコネクタに関するが、それのみに関するわけではない。
【背景技術】
【０００２】
呼吸導管の終端部用のコネクタを提供することは、患者へガス療法を継続的かつ安全に送達するために重要である。
【０００３】
例えば、加湿ガスまたは他のガスは、呼吸回路用に備えられている一連の導管を経由して輸送されて、患者インターフェース、例えば鼻カニューレ、マウスピース、フルフェイスマスク、鼻マスクなどへガスを供給し得る。呼吸回路の異なる部分には異なる導管が使用され得る。
【０００４】
例えば、患者と最も密接に関わる導管は、小径の導管としてもよく、およびより可撓性を有する必要があってもよいが、患者から離れた導管は、より大きな直径の、より可撓性の小さい導管とし得、かつ加熱器または他の感知回路などのエレクトロニクスを含んでもよい。
【０００５】
異なる導管の順番、およびこれらの異なる導管に取り付けられ得る様々な患者インターフェースを考えると、使用者が正しいコネクタ接続を行うのを助けるコネクタ、または複数のコネクタのシステムが、特に有利であることが分かる。
【発明の概要】
【発明が解決しようとする課題】
【０００６】
複数の特許明細書、他の外部文書、または他の情報源を引き合いに出した本明細書においては、これは、一般的に、本発明の特徴を議論するための内容を提供するためのものである。特に具体的に明記しない限り、そのような外部文書への言及は、そのような文書、またはそのような情報源が、いずれの管轄権においても、先行技術であること、または当該技術分野の共通の一般知識の一部を形成することの承認であると、解釈されるべきではない。
【課題を解決するための手段】
【０００７】
それゆえ、本発明の目的は、上述の問題に対処するのに少なくともいくらか助けになるかまたは少なくとも産業界および／または一般の人々に有用な選択肢を提供するコネクタ、または複数のコネクタのシステムを提供することにある。
【０００８】
時折、空気流源が除去または交換される必要があるかもしれないし、または患者インターフェースが呼吸回路から除去される必要があるかもしれないし、または呼吸回路の一部を形成する他の導管が交換される必要があるかもしれない。回路から特定の構成要素（例えば導管または患者インターフェース）を切り離すことが困難であるかまたは時間がかかる場合、そのような切り離しは、保守または患者へのガス療法の継続的な送達に悪影響を与えたり、またはそのような切り離しを行う人を苛立たせたりするかもしれない。さらに、緊急時には、時間がかかるまたは困難な接続機構は、患者の健康を危険にさらしかねない。それゆえ、「迅速な接続」または「迅速な取り外し」能力を提供し、およびさらに新しいコネクタの素早くかつ正しい位置合わせおよび接続を容易にし、ならびに複数の構成要素の互換性を高める導管コネクタは、患者にとってより快適および／または安全なものになる。
【０００９】
第１の態様では、呼吸導管の終端部に設けられるコネクタが提供され、コネクタは：
第１の端部および第２の端部を含む本体であって、内部に、第１および第２の端部のそれぞれの間でガスを通過させるためのルーメンを規定する、本体
を含み、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の内面は、内部に受け入れられ得る前記別のコネクタと接続するように構成された１つ以上の内部接続特徴を含み、および
本体の外面は、前記コネクタまたは別の接続部を、それらの間が外部で位置合わせされた接続状態に位置合わせするように構成された１つ以上の外部位置合わせ特徴を含む。
【００１０】
第２の態様では、呼吸導管の終端部に設けられるコネクタが提供され、コネクタは：
第１の端部および第２の端部を含む本体であって、内部に、第１および第２の端部のそれぞれの間でガスを通過させるためのルーメンを規定する、本体
を含み、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の内面は、内部に受け入れられ得る前記別のコネクタと接続するように構成された１つ以上の内部接続特徴を含み、および
１つ以上の外部視覚補助具が、使用時に、前記コネクタまたは別のコネクタを、それらの間が位置合わせされた接続状態にする位置合わせ用の、外部から見えるガイドを提供するように構成される。
【００１１】
上述の第１および第２の態様によれば、下記の任意選択的な構成によって説明される１つ以上の追加的な特徴が提供される。
【００１２】
１つ以上の内部接続特徴は、本体の内部側壁の表面から半径方向内向きに延在する１つまたは複数の表面特徴とし得る。
【００１３】
１つ以上の内部接続特徴は、１つ以上のタブを含み得る。
【００１４】
１つ以上のタブは、隆起した突起とし得る。
【００１５】
内部接続特徴は、前記１つ以上の外部位置合わせ特徴および／または前記１つ以上の外部視覚補助具と半径方向に位置合わせされるような向きにされ得る。
【００１６】
一対の前記内部接続特徴があってもよい。
【００１７】
少なくとも１つ（１つでもよい）の前記内部接続特徴は、長手方向に広がるチャンネルまたは凹部を含んでもよく、前記チャンネルまたは凹部は、印刷回路板（ＰＣＢ）配置構成を設置、保持、または位置決めするように構成され得る。
【００１８】
内面は、その内部に受け入れられる別のコネクタの少なくとも１つの接続特徴を、それとの位置合わせされた接続向きに位置合わせするように構成された１つ以上の内部位置合わせ特徴を含み得る。
【００１９】
前記内面は、使用時に、別のコネクタの雄型接続特徴を、コネクタと接続するための位置合わせされた接続向きに、または少なくとも、本体の内面にまたはその周りに設置された前記１つ以上の内部接続特徴と接続した状態に、回転させて向けるように構成された１つ以上の内部位置合わせ特徴を含み得る。
【００２０】
１つまたは複数の内部位置合わせ特徴は、本体の内部側壁の表面から半径方向内向きに延在する１つまたは複数の表面特徴とし得る。
【００２１】
１つまたは複数の内部位置合わせ特徴は、１つ以上のタブを含み得る。
【００２２】
１つ以上のタブは、隆起した突起とし得る。
【００２３】
１つ以上のタブは一対の肩部を含んでもよく、これら肩部は、これら肩部の交差点において、互いからおよびタブの端部から傾斜し、タブの端部は、実質的に肩部よりもコネクタの第２の端部の終端部の方に設置される。
【００２４】
１つまたは複数の内部位置合わせ特徴は、実質的に前記コネクタの長手方向におよび本体の内部側壁の表面としてもよい前記内面に沿って延在する、１つ以上のリブとし得る。
【００２５】
内部位置合わせ特徴は：１〜１０個のリブ、または２〜８個のリブ、または４〜６個のリブ、または２個のリブ、または３個のリブ、または４個のリブ、または６個のリブ、または８個のリブ、または１０個のリブを含み得る。
【００２６】
２組以上の内部位置合わせ特徴は、本体の内面にまたはその周りに設けられてもよく、２組の位置合わせ特徴があってもよい。
【００２７】
各前記組の内部位置合わせ部は、別の組と等しい数の内部位置合わせ特徴を含み得る。
【００２８】
内面は、前記内部位置合わせ特徴のうちの２つを含み得る。
【００２９】
内部位置合わせ特徴は、使用時に、コネクタの前記内面に挿入されるかまたは係合または表面接触するようにされるときに、別のコネクタから延在する一対の指を回転可能に位置合わせし得る。
【００３０】
第１の端部は、呼吸導管の終端部と係合するように構成され得る。
【００３１】
第１の端部は、呼吸導管の終端部に取り付けられかつそれと空気圧的接続を形成するスリーブ状分を含み得る。
【００３２】
前記スリーブ状分の少なくとも一部は、呼吸導管の終端部の内面またはルーメンに挿入可能とし得るか、またはその内部に設置または収納され得る。
【００３３】
前記スリーブ状分の少なくとも一部は、呼吸導管の終端部の外面に受け入れ可能とし得るか、または設置または収納され得る。
【００３４】
１つまたは複数の外部位置合わせ特徴および／または１つまたは複数の外部視覚補助具は、本体の外部側壁の外表面から半径方向外向きに延在する１つ以上の外面特徴を含み得る。
【００３５】
１つまたは複数の外部位置合わせ特徴は、１つ以上のタブを含み得る。
【００３６】
１つ以上のタブは、隆起した突起とし得る。
【００３７】
１つまたは複数の外部位置合わせ特徴は、実質的にコネクタの長手方向におよび本体の外部側壁の表面としてもよい前記外面に沿って延在する１つ以上のリブ（または１つまたは複数の突起）とし得る。
【００３８】
少なくとも１つの、または各リブまたは突起は、一対の肩部を含んでもよく、前記肩部は、肩部の交差点において互いからおよびリブまたは突起の端部から傾斜し、リブまたは突起の端部は、実質的に肩部よりもコネクタの第２の端部の終端部の方へ設置される。
【００３９】
少なくとも１つの、または各リブまたは突起は、実質的に舌状としても、および／または実質的に三角形としてもおよび／または実質的に端部の方へテーパが付けられていてもよい。
【００４０】
外部位置合わせ特徴は：１〜１０個のリブ、または２〜８個のリブ、または４〜６個のリブ、または２個のリブ、または３個のリブ、または４個のリブ、または６個のリブ、または８個のリブ、または１０個のリブを含み得る。
【００４１】
外部位置合わせ特徴は、外面の円周上でまたは半径が描く範囲の周面で互いに均等にまたは等距離に間隔が空けられ得るか、配列され得るかまたは配置され得る。
【００４２】
外部位置合わせ特徴は、実質的に前記コネクタの長手方向におよび前記外面に沿って延在する長さの突出物としてもよく、および外面からの前記突出物の高さは、前記長さに沿って変化する。
【００４３】
前記外部位置合わせ特徴の高さは、前記長さに沿ってテーパ状にし得る。
【００４４】
前記突出物の高さは：
ａ．外部位置合わせ特徴のベースからコネクタの第２の端部の終端部の方へ延在する方向に低くなる、または
ｂ．外部位置合わせ特徴のベースからコネクタの第２の端部の終端部の方へ延在する方向に高くなる
のいずれかとし得る。
【００４５】
実質的に１つのまたは各前記外部位置合わせ特徴のベースにまたはその方に向けられて設けられるのは、段付き突起としてもよく、段付き突起は、外部位置合わせ特徴の隣接部分よりも半径方向外向きに延在する突出物である。
【００４６】
段付き突出物は、コネクタと別のコネクタとが接続されている間、両コネクタ間の接続を支持する状態にされるときに、前記別のコネクタのスリーブ状分の少なくとも一部の相反的なすなわち逆の（ｒｅｃｉｐｒｏｃａｌｌｙ）形状にされた凹部または切り欠き部とキー結合されるように、同一場所に設置されるかまたは同一場所に設置可能であるように構成され得る。
【００４７】
段付き突出物は、接続がもたらされる構成要素の相反的な形状にされた凹部または切り欠き部に対して相反的に設置する鍵の機能を果たすように構成され得る。
【００４８】
実質的に１つのまたは各前記外部位置合わせ特徴のベースにまたはその方に向けて設けられるのは、凹部または切り欠き部としてもよく、凹部または切り欠き部は、別のコネクタの相反的な形状にされた部分の突起または突出物を受け入れるように構成される。
【００４９】
凹部または切り欠き部は、コネクタと別のコネクタとが接続されている間、両コネクタ間の接続を支持する状態にされるときに、前記別のコネクタのスリーブ状分の少なくとも一部の相反的な突起または突出物とキー結合されるように、同一場所に設置されるかまたは同一場所に設置可能であるように構成され得る。
【００５０】
凹部または切り欠き部は、接続がもたらされる構成要素の相反的な形状にされた突起または突出物に対して相反的に設置する鍵穴の機能を果たすように構成され得る。
【００５１】
段付き突起または凹部または切り欠き部は、実質的に相反的な形状にされた凹部または切り欠き部、または突起または突出物を設置するかまたは受け入れるために、以下の形状またはプロファイルとし得る：半円形、三角形、矩形または他の直線的または幾何学的な形状、楕円形状、楔形状。
【００５２】
半径方向に広がるフランジまたはリップは、本体の外面から突出し得る。
【００５３】
前記フランジまたはリップは、コネクタの外面との係合が行われるときの別のコネクタの最大係合の点または長さに対して、実質的に停止端部を規定し得る。
【００５４】
前記フランジまたはリップは：
ｉ．１つ以上の半径方向および／または長手方向の陥凹または溝付き領域、または
ｉｉ．１つ以上の半径方向および／または長手方向に延在する突出領域
の一方または双方を含み得る。
【００５５】
前記フランジまたはリップは、呼吸導管の終端部と係合するように構成されるように、長手方向に広がるとし得る。
【００５６】
シースは、オーバーモールドされたシースとしてもよく、本体の外面と呼吸チューブの終端部との空気圧的係合を提供し、シースは、コネクタの第１の端部と呼吸チューブの終端部とを空気圧的に係合してもよい。
【００５７】
前記シースは：
ｉ．１つ以上の半径方向および／または長手方向の陥凹または溝付き領域、または
ｉｉ．１つ以上の半径方向および／または長手方向に延在する突出領域
の一方または双方を含み得る。
【００５８】
前記シースの前記陥凹または溝付き領域および／または前記延在する突出領域は、前記フランジまたはリップの前記陥凹または溝付き領域および／または前記延在する突出領域と全体的にまたは少なくとも部分的に位置合わせされ得る。
【００５９】
コネクタの第２の端部に向いていてもよい本体の内面は、印刷回路板（ＰＣＢ）配置構成を設置、保持、または位置決めするように構成され得る。
【００６０】
ＰＣＢ機能の回路は：制御、感知（例えば温度、湿度、流量）、加熱（例えばヒーター線）または呼吸回路の一部として使用される呼吸導管用の他の電子部品のためのものとし得る。
【００６１】
コネクタは、別個の別のコネクタとの別個の接続が行われ得る複数の別個のシール面を提供してもよく、２つの異なるコネクタに適合するための２つの別個のシール面があってもよい。
【００６２】
コネクタは、別のコネクタによってそれとの別個の接続が行われるときに第１の別個のシール面を提供するように構成されてもよく、第１のシール面は：
−  本体の外面から突出する半径方向に広がるフランジまたはリップの側壁面であって、前記側壁は、実質的に前記側壁上で支持する状態にされ得る別のコネクタの終端部の面に対面している、側壁面、または
−  別のコネクタの半径方向外側を向く面上で支持する状態にされるときに、実質的にコネクタの第２の端部の終端部にあるまたはその方にある内表面、例えば別のコネクタの半径方向外側を向く面
の一方または双方によって規定される。
【００６３】
コネクタは、第２の端部の本体が別のコネクタの第２のシール面上でシーリングするように構成されてもよく、第２のシール面は：
実質的に別のコネクタの第２の端部のベース端部にまたはその方に向けられて設けられた内部側壁面であって、使用時に、コネクタの第２の端部の本体は、実質的に内部側壁面上に、または別のコネクタのベース端部にあるかまたはその方に向かう内部側壁面に沿った箇所にもたらされて支持される、内部側壁面
によって規定される。
【００６４】
コネクタは、第２の端部の本体が別のコネクタの第３のシール面上でシーリングするように構成されてもよく、第３のシール面は：
第２の端部の前記本体が、実質的に別のコネクタの突起の面上にまたは面に沿った箇所にもたらされて支持されるときに、別のコネクタの第２の端部の内部側壁面から半径方向内向きに延在する突起の内部側壁面
によって規定される。
【００６５】
コネクタは、第２の端部の本体が別のコネクタの第４のシール面上でシーリングするように構成されてもよく、第４のシール面は：
別のコネクタの第２の端部の内部側壁面であって、内部側壁面は、肩部として、１つ以上の雄型接続特徴（１つ以上の係止指など）から半径方向外向きに延在し、コネクタの第２の端部の本体の一部は、実質的に肩部の半径方向外向きの面上にもたらされて支持される、内部側壁面
によって規定される。
【００６６】
コネクタは、第２の端部の本体が別のコネクタの第５のシール面上でシーリングするように構成されてもよく、第５のシール面は：
１つ以上の雄型接続特徴の半径方向外向きの面、特に別のコネクタの第２の端部内に設置される１つ以上の係止指の半径方向外向きの面
によって規定される。
【００６７】
コネクタが、第２の端部の本体が別のコネクタの第６のシール面上でシーリングするように構成され得る場合、第６のシール面は：
１つ以上の雄型接続特徴から半径方向外向きに延在する肩部の側面またはレッジであって、特に、別のコネクタの第２の端部内に設置される１つ以上の係止指から半径方向外向きに延在する半径方向外向きに広がる面またはレッジ、または
別のコネクタの１つ以上の雄型接続特徴から半径方向外向きに延在する肩部の外縁の内部に床として延在する側面またはベースであって、そのような側面またはベースは、別のコネクタの第２の端部内に設置されている床として延在する、側面またはベース
の一方または双方によって規定され得る。
【００６８】
コネクタの１つまたは複数の外部位置合わせ特徴は：
コネクタの１つまたは複数の外部位置合わせ特徴および別のコネクタの外部位置合わせ特徴が、位置合わせされていない（ｕｎａｌｉｇｎｅｄ）向きにあるとき、コネクタの内部接続特徴と別のコネクタとの接続を防止する、および／または
コネクタの１つまたは複数の外部位置合わせ特徴および別のコネクタの外部位置合わせ特徴が、位置合わせされた向きにあるとき、コネクタの内部接続特徴と別のコネクタとの接続を可能にする
ような形状にされ得るか、またはそのように構成され得る。
【００６９】
第３の態様では、呼吸導管の終端部に設けられるコネクタが提供され、コネクタは：
第１の端部および第２の端部を含む本体であって、内部に、第１および第２の端部のそれぞれの間でガスを通過させるためのルーメンを規定する、本体
を含み、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の内面は、その内部に延在する１つ以上の内部雄型接続特徴を含み、その内部雄型接続特徴は、前記雄型接続特徴を受け入れることができる別のコネクタの雌型端部または雌型部分と接続するように構成され、雄型内部接続特徴は、１つ以上の（一対としてもよい）係止指を含み、および
コネクタは、さらに：
ａ．１つ以上の内部雄型接続特徴を取り囲むものは外壁であり、外壁の外面はテーパが付けられており、実質的にコネクタの長手方向の方向にテーパが付けられていること、
ｂ．１つ以上の内部雄型接続特徴を取り囲むものは外壁であり、外壁の外表面または少なくとも外面は、
前記コネクタまたは別の接続を、それらの間が外部で位置合わせされた接続状態に位置合わせするように構成された１つ以上の外部位置合わせ特徴であって、および／または１つ以上の外部視覚補助具は、使用時に、前記コネクタまたは別のコネクタを位置合わせされた接続状態にする位置合わせ用の、外部から見えるガイドを提供するように構成されている、１つ以上の外部位置合わせ特徴
を含むこと
の一方または双方を含む。
【００７０】
第４の態様では、呼吸導管の終端部に設けられるコネクタが提供され、コネクタは：
第１の端部および第２の端部を含む本体であって、内部に、第１および第２の端部のそれぞれの間でガスを通過させるためのルーメンを規定する、本体
を含み、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の内面は、内部に延在する１つ以上の内部雄型接続特徴を含み、その内部雄型接続特徴は、前記雄型接続特徴を受け入れ可能な別のコネクタの雌型端部または雌型部分と接続するように構成され、雄型内部接続特徴は、１つ以上の（一対としてもよい）係止指を含み、および
コネクタはさらに、１つ以上の内部雄型接続特徴を取り囲む外壁を含み、外壁の外面は、テーパが付けられており、コネクタの実質的に長手方向にある方向にテーパが付けられている。
【００７１】
第５の態様では、呼吸導管の終端部に設けられるコネクタが提供され、コネクタは：
第１の端部および第２の端部を含む本体であって、内部に、第１および第２の端部のそれぞれの間でガスを通過させるためのルーメンを規定する、本体
を含み、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の内面は、内部に延在する１つ以上の内部雄型接続特徴を含み、その内部雄型接続特徴は、前記雄型接続特徴を受け入れ可能な別のコネクタの雌型端部または雌型部分と接続するように構成され、雄型内部接続特徴は、１つ以上の（一対としてもよい）係止指を含み、および
コネクタは、さらに、１つ以上の内部雄型接続特徴を取り囲む外壁を含み、外壁の外表面または少なくとも外面は：
前記コネクタの外壁、または前記コネクタ、または別の接続を、それらの間が外部で位置合わせされた接続状態に位置合わせされるように構成された１つ以上の外部位置合わせ特徴であって、および／または１つ以上の外部視覚補助具は、使用時に、前記コネクタまたは別のコネクタをそれらの間が位置合わせされた接続状態にする位置合わせ用の、外部から見えるガイドを提供するように構成されている、１つ以上の外部位置合わせ特徴
を含む。
【００７２】
上述の第３、第４の、および第５の態様によれば、上記または下記の任意選択的な構成によって説明される１つ以上の追加的な特徴が提供される。
【００７３】
第２の端部の外壁の直径は、第２の端部の終端部において最小としてもよく、直径は、第２の端部の終端部から離れて第１の端部に向かって延在する方向に大きくなる。
【００７４】
１つ以上の係止指は、実質的にコネクタの第２の端部内に収納され得る。
【００７５】
１つ以上の内部雄型接続特徴の外表面と外壁の内表面との間に空間が規定され得る。
【００７６】
外壁は、１つ以上の位置合わせ特徴および／または１つ以上の外部視覚補助具を含んでもよく、１つ以上の位置合わせ特徴は、前記外壁と前記コネクタ、または別の接続とを、それらの間が位置合わせされた接続状態に位置合わせするように構成され、および／または１つ以上の外部視覚補助具は、使用時に、前記コネクタまたは別のコネクタをそれらの間が位置合わせされた接続状態にする位置合わせ用の、外部から見えるガイドを提供するように構成される。
【００７７】
前記１つ以上の内部雄型接続特徴は、前記１つ以上の外部位置合わせ特徴および／または前記１つ以上の外部視覚補助具が半径方向に位置合わせされるような向きにされ得る。
【００７８】
１つまたは複数の外部位置合わせ特徴は、第２の端部の外壁の終端部の面に１つ以上の切り欠き部を含んでもよく、前記切り欠き部は、前記外壁が接触して設置される、コネクタ上にある実質的に相反的な形状にされた部分によって受け入れられるように構成されている。
【００７９】
外部位置合わせ特徴は、第２の端部の外壁の終端部の面の円周上で互いに均等にまたは等距離に間隔を空けられ得るか、配列され得るかまたは配置され得る。
【００８０】
外部位置合わせ特徴は、コネクタの第２の端部の終端面と別のコネクタとが接続されている間、両コネクタ間の接続を支持する状態にされるときに、前記別のコネクタのスリーブ状分の相反的な形状にされた突出物とキー結合されるように、同一場所に設置されるかまたは同一場所に設置可能であるように構成され得る。
【００８１】
前記係止指は、各前記指の外表面に凹部を含んでもよく、前記凹部は、内部接続特徴、例えば接続されるように構成された別のコネクタの前記凹部またはタブの方へ半径方向内向きの方向に延在し得る、隆起した突起を受け入れる。
【００８２】
凹部は、別のコネクタの内部接続特徴を受け入れるような形状にされ得る。
【００８３】
前記係止指の先端は、少なくとも部分的に面取りされた構成とし得る。
【００８４】
コネクタの第２の端部の外壁の終端面に設けられているのは、凹部または切り欠き部としてもよく、凹部または切り欠き部は、別のコネクタの相反的な形状にされた部分の突起または突出物を受け入れるようにまたはそれと接続して設置されるように構成される。
【００８５】
凹部または切り欠き部は、コネクタと別のコネクタとが接続されている間、両コネクタ間の接続を支持する状態にされるときに、前記別のコネクタのスリーブ状分の少なくとも一部の相反的な突起または突出物とキー結合されるように、同一場所に設置されるかまたは同一場所に設置可能であるように構成され得る。
【００８６】
凹部または切り欠き部は、接続がもたらされる構成要素の相反的な形状にされた突起または突出物と相反的に設置するための鍵穴の機能を果たすように構成され得る。
【００８７】
コネクタの第２の端部の外壁の実質的に終端面にまたはその方に向けられて設けられているのは、長手方向に広がる突起としてもよく、突起は、コネクタの第２の端部の外壁の終端面の隣接部分よりも長手方向に延在する突出物とし得る。
【００８８】
突起は、コネクタと別のコネクタとが接続されている間、両コネクタ間の接続を支持する状態にされるときに、前記別のコネクタの一部分の少なくとも一部の相反的な形状にされた凹部または切り欠き部とキー結合されるように、同一場所に設置されるかまたは同一場所に設置可能であるように構成され得る。
【００８９】
突起は、接続がもたらされる構成要素の相反的な形状にされた凹部または切り欠き部と相反的に設置するための鍵の機能を果たすように構成され得る。
【００９０】
位置合わせ特徴は、別のコネクタの実質的に相反的な形状にされた突起または突出物と設置されるかまたはそれを受け入れるための、以下の形状またはプロファイルの凹部または切り欠き部とし得る：半円形、三角形、矩形または他の直線的または幾何学的な形状、楕円形状、楔形状。
【００９１】
外壁は、雌型接続機能を含む別のコネクタへの２２ｍｍの雄型テーパコネクタとして使用するように構成された、スリーブとし得る。
【００９２】
外壁は、雄型接続機能を含む別のコネクタへの２２ｍｍの雌型テーパコネクタとして使用するように構成された、スリーブとし得る。
【００９３】
コネクタ本体は、ポリカーボネート（ＰＣ）、ポリエチレン（ＰＥ）、アクリロニトリルブタジエンスチレン（ＡＢＳ）またはポリプロピレン（ＰＰ）で形成され得る。
【００９４】
コネクタの本体は、コネクタの第１の端部に設置された、外向きに広がった部分を含み得る。
【００９５】
本体の第２の端部の内面は、さらに、外壁によって囲まれる内面によってまたはその内部に受け入れられる別のコネクタの相応の（ｃｏｍｍｅｎｓｕｒａｔｅｌｙ）形状にされた部分との係合（例えば締まり嵌め）用の突起を含み得る。
【００９６】
突起は、肩部として、１つ以上の係止指から半径方向外向きに延在してもよく、また、コネクタの第２の端部の開放端部に向かう方向に長手方向に延在してもよい。
【００９７】
突起は、肩部として：
１つ以上の係止指、
外壁の内表面から床として延在するベース
の一方または双方から半径方向外向きに延在し得る。肩部は、コネクタの第２の端部の開放端部に向かう方向に長手方向に延在してもよい。
【００９８】
肩部の半径方向外向きの面と外壁の内表面との間に空間が規定されてもよく、前記空間は、別のコネクタの終端部を受け入れ可能であり、別のコネクタの終端部は、肩部の外向きの面と外壁の内表面との間の締まり嵌めとして受け入れられる。
【００９９】
肩部および外壁の内表面に実質的に隣接する、または少なくとも一部には当接するのは、ベースとしてもよく、ベースは、床として、肩部の外縁と壁の内表面との間に延在する。
【０１００】
ベースはシール面を規定してもよく、別のコネクタの終端部または終端部の面は、それと係合され、空気圧的接続を形成してもよい。
【０１０１】
コネクタ本体の第１の端部の周りにカフが設けられ、および少なくとも部分的にコネクタ本体の第２の端部の一部分に重なり合ってもよい。
【０１０２】
カフは、予め形成されても、またはコネクタ本体の周りにオーバーモールドされたオーバーモールド材料としてもよい。
【０１０３】
カフは、外壁の外面が、カフとの交差点に実質的に当接するかまたは実質的に隣接する状態で、比較的滑らかなまたは連続的な外表面輪郭を提供するように、寸法決めされ得る。
【０１０４】
前記カフは、カフが設けられるコネクタのサイズの、または特定の構成要素またはコネクタと関連する構成要素のサイズ（構成要素は、患者インターフェース、例えば鼻カニューレとしてもよい）用の、インジケータを含み得る。
【０１０５】
カフは、コネクタのサイズのインジケータとして、または特定の構成要素、またはコネクタと関連する構成要素のサイズ（構成要素は、患者インターフェース、例えば鼻カニューレとしてもよい）用に、色分けされ得る。
【０１０６】
カフは、コネクタの外壁の外面にまたはそれと実質的に当接するまたは実質的に隣接する実質的に円形の外面輪郭形から、実質的に（全体的にでもよい）コネクタ本体の第１の端部の周りに設けられた実質的に正方形の外面輪郭形へ移行するように寸法決めされ得る。
【０１０７】
カフは、コネクタ本体の第２の端部から延在し、前記コネクタが、使用時に、係合されるかまたは係合可能である呼吸チューブの外面に重なり合ってもよいし、または前記カフは、呼吸チューブの終端部と関連する構成要素の少なくとも一部分に重なり合うように延在する。
【０１０８】
カフは、弾性材料または伸縮性がある（ｅｌａｓｔｉｃｉｓｅｄ）材料としてもよく、シリコーンまたは熱可塑性エラストマー（ＴＰＥ）としてもよい。
【０１０９】
コネクタの本体は、カフの内表面上にある１つ以上のスプラインを受け入れるような形状にされた少なくとも１つの凹部または溝を含み得る。
【０１１０】
スイベル型コネクタ部品は、使用時に、コネクタの第１の端部に接続され得る。
【０１１１】
スイベル型コネクタは、導管の終端部と接続するように構成されてもよく、およびスイベル型コネクタは、コネクタの本体に接続するように構成される。
【０１１２】
コネクタは、少なくとも１つの保持用突起を含んでもよく、保持用突起は、コネクタの本体から半径方向内向きの方向に延在する。
【０１１３】
保持用突起は：
本体の第１の端部から離れるように傾斜していてもよい傾斜面
コネクタの本体の内壁に対して実質的に垂直な面
の一方または双方を含み得る。
【０１１４】
コネクタは、少なくとも１つの取付アームを含み得る。
【０１１５】
取付アームは、少なくとも１つの保持用突起を含み得る。
【０１１６】
少なくとも１つの取付アームは、コネクタの本体に対して片側だけ支えられて、少なくともコネクタの本体に対して半径方向の、任意選択的に半径方向に内向き、外向きまたはそれら双方の方向において、取付アームの可撓性を可能にし得る。
【０１１７】
コネクタは、取付アームの少なくとも一部の周りに設置された少なくとも１つの切り欠き部領域を含み得る。切り欠き部領域は、半径方向における可撓性を促進する。
【０１１８】
コネクタは、一対の取付アームを含み得る。
【０１１９】
取付アームは、カフの内表面にあるスプラインを受け入れるような形状にされた凹部または溝内に設置され得る。
【０１２０】
コネクタの本体または取付アームは、前記スイベル型コネクタ部品の一部を受け入れるための凹部を含み得る。
【０１２１】
スイベル型コネクタ部品は、ネジ山を介して導管に接続し得る。
【０１２２】
スイベル型コネクタは、第１の端部に接続して、コネクタ本体とスイベル型コネクタとの相対的な動きを、軸方向では防止するものの、回転式に可能にし得る。
【０１２３】
スイベル型コネクタは、コネクタ本体の内表面と回転可能なシールを形成する１つまたは複数の面を含み得る。
【０１２４】
コネクタは、別のコネクタによって別個の接続が行われるときに、第１の別個の面上でシーリングを提供するように構成されてもよく、第１の面は：
別のコネクタの本体の外面から外向きにまたはそれから離れて突出するフランジまたはリップ（または肩部）への支持がもたらされるときに、コネクタの第２の端部の終端面
によって規定される。
【０１２５】
コネクタは、別のコネクタによって別個の接続が行われるときに、第２の別個の面上でシーリングを提供するように構成されてもよく、第２の面は：
実質的にコネクタの第２の端部のベース端部にまたはその方に向けられて設けられた内部側壁面であって、別のコネクタの一部（例えば、肩部を含んでもよい、リップまたはフランジ）は、実質的にベース端部にあるかまたはその方にある内部側壁面へのまたは内部側壁面に沿った箇所への支持がもたらされている、内部側壁面
によって規定される。
【０１２６】
コネクタは、別のコネクタによって別個の接続が行われるときに、第３の別個の面上でシーリングを提供するように構成されてもよく、第３の面は：
第２の端部の内部側壁面の半径方向内向きに延在する突起の内部側壁面であって、別のコネクタの一部（肩部を含んでもよい、リップまたはフランジなど）は、実質的に突起の面または面に沿った箇所への支持がもたらされる、内部側壁面
によって規定される。
【０１２７】
コネクタは、別のコネクタによって別個の接続が行われるときに、第４の別個の面上でシーリングを提供するように構成されてもよく、第４の面は：
コネクタの第２の端部の内部側壁面であって、内部側壁面は、肩部として、前記１つ以上の雄型接続特徴（１つ以上の係止指など）から半径方向外向きに延在し、別のコネクタの一部（肩部を含んでもよい、リップまたはフランジなど）は、実質的に肩部の半径方向外向きの面への支持がもたらされる、内部側壁面
によって規定される。
【０１２８】
コネクタは、別のコネクタによって別個の接続が行われるときに、第５の別個の面上でシーリングを提供するように構成されてもよく、第５の面は：
１つ以上の雄型接続特徴の半径方向外向きの面、特にコネクタの第２の端部内に設置された１つ以上の係止指の半径方向外向きの面
によって規定される。
【０１２９】
コネクタは、別のコネクタによって別個の接続が行われるときに、第６の別個の面上でシーリングを提供するように構成されてもよく、第６の面は：
１つ以上の雄型接続特徴から半径方向外向きに延在する肩部の側面またはレッジであって、特にコネクタの第２の端部内に設置された１つ以上の係止指から半径方向外向きに延在する半径方向外向きに広がる面またはレッジ、または
側面、または１つ以上の雄型接続特徴から半径方向外向きに延在する肩部の外縁と、壁の内表面との間に床として延在するベース
の一方または双方によって規定される。
【０１３０】
コネクタの１つまたは複数の外部位置合わせ特徴は：
コネクタの１つまたは複数の外部位置合わせ特徴および別のコネクタの外部位置合わせ特徴が、位置合わせされていない向きにあるときには、別のコネクタとのコネクタの内部接続特徴の接続を防止する、および／または
コネクタの１つまたは複数の外部位置合わせ特徴および別のコネクタの外部位置合わせ特徴が、位置合わせされた向きにあるときには、別のコネクタとのコネクタの内部接続特徴の接続を可能にする
ような形状にされ得るか、またはそのように構成され得る。
【０１３１】
第６の態様では：
第１の端部および第２の端部を含む本体であって、内部に、第１および第２の端部のそれぞれの間でガスを通過させるためのルーメンを規定する、本体
を含む、使用者にガスを提供するための導管と一緒に使用するコネクタが提供され、
第１の端部は、使用時に、呼吸導管の終端部、または少なくとも呼吸チューブの終端部と関連する構成要素と係合されるかまたは係合可能であり、および
第２の端部は、使用時に、別のコネクタと係合されるかまたは係合可能であり、および
本体の外面は、コネクタ本体の第１の端部の周りに少なくとも実質的に設けられた（少なくとも部分的にコネクタ本体の第２の端部の一部分に重なり合ってもよい）カフを含み、前記カフは、第１の端部と係合されるかまたは係合可能である呼吸チューブの長さの少なくとも一部に実質的に長手方向に延在し、および
前記カフは、伸縮性があるまたは弾性タイプの材料である。
【０１３２】
上述の態様によれば、上記または下記の任意選択的な構成によって説明される１つ以上の追加的な特徴が提供される。
【０１３３】
前記呼吸チューブと前記カフの重なり合いによって、少なくとも一部には張力（ｓｔｒａｉｎ）の緩和を容易にし得、そうでなければ、張力は、呼吸導管と、前記第１の端部または第１の端部と関連する構成要素との間で行われる係合または接続部に与えられる。
【０１３４】
第２の端部の外壁の直径は、第２の端部の終端部において最小としてもよく、直径は、第２の端部の終端部から離れて第１の端部の方に向かって延在する方向に大きくなる。
【０１３５】
１つ以上の係止指は、実質的にコネクタの第２の端部内に収納され得る。
【０１３６】
１つ以上の内部雄型接続特徴の外表面と外壁の内表面との間に空間が規定され得る。
【０１３７】
外壁は、１つ以上の位置合わせ特徴および／または１つ以上の外部視覚補助具を含んでもよく、１つ以上の位置合わせ特徴は、前記外壁および前記コネクタ、または別の接続を、それらの間が位置合わせされた接続状態へと位置合わせするように構成され、および／または１つ以上の外部視覚補助具は、使用時に、前記コネクタまたは別のコネクタをそれらの間が位置合わせされた接続状態にする位置合わせ用の、外部から見えるガイドを提供するように構成される。
【０１３８】
前記係止指は、各前記指の外表面に凹部を含んでもよく、前記凹部は、内部接続特徴、例えば、それに接続されるように構成された別のコネクタの前記凹部またはタブの方へ半径方向内向きの方向に延在し得る、隆起した突起を受け入れる。
【０１３９】
凹部は、別のコネクタの内部接続特徴を受け入れるような形状にされ得る。
【０１４０】
前記係止指の先端は、少なくとも部分的に面取りされた構成とし得る。
【０１４１】
コネクタの第２の端部の外壁の終端面に設けられているのは、凹部または切り欠き部としてもよく、凹部または切り欠き部は、別のコネクタの相反的な形状にされた部分の突起または突出物を受け入れるように構成されている。
【０１４２】
凹部または切り欠き部は、コネクタと別のコネクタとが接続されている間、両コネクタ間の接続を支持する状態にされるときに、前記別のコネクタのスリーブ状分の少なくとも一部の相反的な突起または突出物とキー結合されるように、同一場所に設置されるかまたは同一場所に設置可能であるように構成され得る。
【０１４３】
凹部または切り欠き部は、それとの接続がもたらされる構成要素の相反的な形状にされた突起または突出物と相反的に設置するように鍵穴の機能を果たすように構成され得る。
【０１４４】
実質的にコネクタの第２の端部の外壁の終端面にまたはその方に向けられて設けられているのは、長手方向に広がる突起としてもよく、突起は、コネクタの第２の端部の外壁の終端面の隣接部分よりも長手方向に延在する突出物である。
【０１４５】
突起は、コネクタと別のコネクタとが接続されている間、両コネクタ間の接続を支持する状態にされるときに、前記別のコネクタの一部分の少なくとも一部の相反的な形状にされた凹部または切り欠き部とキー結合されるように、同一場所に設置されるかまたは同一場所に設置可能であるように構成され得る。
【０１４６】
突起は、それとの接続がもたらされる構成要素の相反的な形状にされた凹部または切り欠き部と相反的に設置するような鍵の機能を果たすように構成され得る。
【０１４７】
段付き突起または凹部または切り欠き部は、実質的に相反的な形状にされた凹部または切り欠き部、または突起または突出物を設置するかまたはそれを受け入れるために、以下の形状またはプロファイルとし得る：半円形、三角形、矩形または他の直線的または幾何学的な形状、楕円形状、楔形状。
【０１４８】
外壁は、雌型接続機能を含む別のコネクタへの２２ｍｍの雄型テーパコネクタとして使用するように構成されたスリーブとし得る。
【０１４９】
外壁は、雄型接続機能を含む別のコネクタへの２２ｍｍの雌型テーパコネクタとして使用するように構成されたスリーブとし得る。
【０１５０】
コネクタ本体は、ポリカーボネート（ＰＣ）、ポリエチレン（ＰＥ）、アクリロニトリルブタジエンスチレン（ＡＢＳ）またはポリプロピレン（ＰＰ）で形成され得る。
【０１５１】
本体の第２の端部の内面は、さらに、外壁に囲まれた内面によってまたはその内部に受け入れられる別のコネクタの相応の形状にされた部分の係合（例えば締まり嵌め）用の突起を含み得る。
【０１５２】
突起は、肩部として、１つ以上の係止指から半径方向外向きに延在してもよく、また、コネクタの第２の端部の開放端部に向かう方向に長手方向に延在してもよい。
【０１５３】
突起は、肩部として：
１つ以上の係止指、
外壁の内表面から床として延在するベース
の一方または双方から半径方向外向きに延在してもよく、肩部は、コネクタの第２の端部の開放端部に向かう方向に長手方向に延在してもよい。
【０１５４】
肩部の半径方向外向きの面と外壁の内表面との間に空間が規定されてもよく、前記空間は、別のコネクタの終端部を受け入れることができ、別のコネクタの終端部は、締まり嵌めとして、肩部の外向きの面と外壁の内表面との間に受け入れられる。
【０１５５】
肩部および外壁の内表面に実質的に隣接するか、または少なくとも一部には当接するのは、ベースとしてもよく、ベースは、床として、肩部の外縁と壁の内表面との間に延在する。
【０１５６】
ベースは、シール面を規定してもよく、終端部または別のコネクタの終端部の面は、それと係合されて、空気圧的接続を形成してもよい。
【０１５７】
カフが、コネクタ本体の第１の端部の周りに設けられてもよく、およびコネクタ本体の第２の端部の一部分に少なくとも部分的に重なり合ってもよい。
【０１５８】
カフは、予め形成されていても、またはコネクタ本体の周りにオーバーモールドされたオーバーモールド材料でもよい。
【０１５９】
カフは、外壁の外面が、カフとの交差点に実質的に当接するかまたは実質的に隣接する状態で、比較的滑らかなまたは連続した外表面輪郭を提供するように、寸法決めされ得る。
【０１６０】
前記カフは、それが設けられるコネクタのサイズの、または特定の構成要素用、またはコネクタと関連する構成要素のサイズ用の（構成要素は、患者インターフェース、例えば鼻カニューレとしてもよい）、インジケータを含み得る。
【０１６１】
カフは、コネクタのサイズのインジケータとして、または特定の構成要素用、またはコネクタと関連する構成要素のサイズ（構成要素は、患者インターフェース、例えば鼻カニューレとしてもよい）用に、色分けされ得る。
【０１６２】
カフは、コネクタの外壁の外面にまたはそれと実質的に当接するまたは実質的にそれに隣接するときの実質的に円形の外面輪郭形から、実質的に（全体的にでもよい）コネクタ本体の第１の端部の周りに設けられた実質的に正方形の外面輪郭形へ移行するように寸法決めされ得る。
【０１６３】
コネクタの本体は、カフの内表面の１つ以上のスプラインを受け入れるような形状にされた少なくとも１つの凹部または溝を含み得る。
【０１６４】
スイベル型コネクタ部品は、使用時に、コネクタの本体に接続され得る。
【０１６５】
スイベル型コネクタは、導管の終端部と接続するように構成されてもよく、およびスイベル型コネクタは、コネクタの本体と接続するように構成される。
【０１６６】
コネクタは、少なくとも１つの保持用突起を含んでもよく、保持用突起は、コネクタの本体から半径方向内向きの方向に延在する。
【０１６７】
保持用突起は：
本体の第１の端部から離れて傾斜してもよい、傾斜面
コネクタの本体の内壁に対して実質的に垂直な面
の一方または双方を含み得る。
【０１６８】
コネクタは、少なくとも１つの取付アームを含み得る。
【０１６９】
取付アームは、少なくとも１つの保持用突起を含み得る。
【０１７０】
少なくとも１つの取付アームは、コネクタの本体に対して片側だけ支えられ、少なくともコネクタの本体に対して半径方向、任意選択的に半径方向に内向き、外向きまたはそれら双方の方向における取付アームの可撓性を可能にし得る。
【０１７１】
コネクタは、取付アームの少なくとも一部の周りに設置された少なくとも１つの切り欠き部領域を含み得る。切り欠き部領域は、半径方向における可撓性を促進する。
【０１７２】
コネクタは、一対の取付アームを含み得る。
【０１７３】
取付アームは、カフの内表面のスプラインを受け入れるような形状にされた凹部または溝内に設置され得る。
【０１７４】
コネクタの本体または取付アームは、前記スイベル型コネクタ部品の一部を受け入れるための凹部を含み得る。
【０１７５】
スイベル型コネクタ部品は、ネジ山を介して導管に接続し得る。
【０１７６】
スイベル型コネクタは、コネクタ本体とスイベル型コネクタとの間の相対的な動きが、軸方向には防止されるものの、回転式に可能にされるように、第１の端部に接続し得る。
【０１７７】
スイベル型コネクタは、コネクタ本体の内表面との回転可能なシールを形成する１つまたは複数の面を含み得る。
【０１７８】
コネクタの１つまたは複数の外部位置合わせ特徴は：
コネクタの１つまたは複数の外部位置合わせ特徴および別のコネクタの外部位置合わせ特徴が、位置合わせされていない向きにあるときには、別のコネクタとのコネクタの内部接続特徴の接続を防止する、および／または
コネクタの１つまたは複数の外部位置合わせ特徴および別のコネクタの外部位置合わせ特徴が、位置合わせされた向きにあるときには、別のコネクタとのコネクタの内部接続特徴の接続を可能にする
ような形状にされ得るか、またはそのように構成され得る。
【０１７９】
第７の態様では、第１または第２の態様のコネクタが提供され、前記別のコネクタは、コネクタと係合するかまたは係合可能であるように構成される。
【０１８０】
第８の態様では、コネクタが提供され、前記コネクタは、第２のコネクタと係合されるかまたは係合可能であるように構成され、第２のコネクタは、第１または第２の態様のコネクタによって規定されている。
【０１８１】
コネクタは、第２のコネクタの以下の面のうちの少なくとも１つとシールし得る：
本体の外面、
半径方向に広がるフランジまたはリップの側壁、
コネクタ本体の第１の端部の周りに設けられたカフの外面。
【０１８２】
第９の態様では、呼吸導管の終端部に設けられるコネクタが提供され、コネクタは：
第１の端部および第２の端部を含む本体
を含み、
第１の端部は、使用時に、呼吸導管の終端部、または少なくとも呼吸チューブの終端部と関連する構成要素と係合されるかまたは係合可能であり、および
第２の端部は、使用時に、第２のコネクタと係合されるまたは係合可能であり、および
本体の内面は、内部に受け入れられ得る前記第２のコネクタと接続するように構成された１つ以上の内部接続および／または位置合わせ特徴を含み、および
１つ以上の内部接続および／または位置合わせ特徴は：
半径方向内向きに突出する突起またはリブ
概念的なもしくは実際の内壁または内面から半径方向外向きに突出する凹部
のうちの少なくとも１つを含む。
【０１８３】
位置合わせ特徴は、コネクタを第２のコネクタと位置合わせするように構成され得る。
【０１８４】
接続特徴は、前記コネクタと第２のコネクタとの間の接続を容易にするように構成され得る。
【０１８５】
接続および／または位置合わせ特徴は、少なくとも一部には、コネクタと第２のコネクタとの間にシーリング、またはシール面を提供し得る。
【０１８６】
コネクタのリブまたは突起の少なくとも１つは、第２のコネクタの対応する凹部（例えばカフまたはスリーブの凹部）に適合するように構成されてもよく、および／またはコネクタの少なくとも１つの凹部は、第２のコネクタの対応するリブまたは突起に適合するように構成される。
【０１８７】
１つ以上の内部接続および／または位置合わせ特徴は、第２のコネクタの一部分の相反的な形状にされた突出物または凹部とキー結合されるために、同一場所に設置され得るかまたは同一場所に設置可能であるとし得る。
【０１８８】
リブおよび／または凹部の少なくとも１つは、コネクタの内面の円周上に配置されてもよく、リブおよび／または突起は、コネクタの内面の円周上で等距離に間隔が空けられてもよい。
【０１８９】
１つ以上のまたは複数のリブおよび／または凹部があってもよく、２個、または３個、または４個、または５個、または６個のリブおよび／または凹部があってもよい。
【０１９０】
４個のリブがあってもよい。
【０１９１】
少なくとも１つの突起またはリブは、本体の内面に沿って実質的に長手方向に延在し得る。
【０１９２】
少なくとも１つの突起またはリブは、実質的にコネクタの第２の端部の終端部からまたはその近くから、コネクタの第１の端部に向かう方向に延在し得る。
【０１９３】
少なくとも１つの凹部は、コネクタの本体の側壁または内面に設置されてもよく、前記第２のコネクタが前記コネクタとの嵌合または接続をもたらされるときに、少なくとも１つの凹部は、前記第２のコネクタの１つまたは複数の関連の突出物を収容するように構成されている。
【０１９４】
コネクタは、前記第２のコネクタによってまたはそれを用いて接続または嵌合が行われるときに、少なくとも第１の内面で前記第２のコネクタの外側部分とシーリングするように構成されてもよく、第１の内面は、本体の内面の円周部分によって提供され、前記円周部分は、コネクタの本体の第２の端部にまたはその近くに設置されてもよく、および第１の内面が接続または嵌合配置構成にされる前記第２のコネクタの外側部分の周りに実質的に連続的におよび実質的にその円周に設置可能であるように設けられる。
【０１９５】
位置合わせまたは接続特徴は、本体の第１の内面の少なくとも一部を形成し得る。
【０１９６】
少なくとも１つの突起またはリブは、第１の内面の少なくとも一部を形成し得る。
【０１９７】
少なくとも１つの突起またはリブは、第１の内面の側壁に沿って実質的に長手方向に延在し得る。
【０１９８】
少なくとも１つの突起またはリブは、コネクタの第２の端部の終端部からまたはその近くから、コネクタの第１の端部に向かう方向に実質的に延在し得る。
【０１９９】
第１の内面は、横断面で見るとき、実質的に湾曲し得る。
【０２００】
第１の内面のプロファイル（例えば第１の内面の曲率半径および湾曲の箇所）は、前記第２のコネクタのカフの外部プロファイル（例えば外部曲線または曲率）と適合し得る。
【０２０１】
少なくとも１つの位置合わせまたは接続特徴（突起またはリブとしてもよい）は、使用時に、実質的に第２のコネクタの外部プロファイルの最も外側の頂点まで延在するように、十分な寸法とし得る。
【０２０２】
少なくとも１つの位置合わせまたは接続特徴（突起またはリブとしてもよい）は、使用時に、実質的に第２のコネクタのカフの外部プロファイルの最も外側の頂点と、第２のコネクタの終端部に最も近いカフの端部との間の位置まで延在するように、十分な寸法とし得る。
【０２０３】
少なくとも１つの位置合わせまたは接続特徴（突起またはリブとしてもよい）は、使用時に、実質的に第２のコネクタのカフの外部プロファイルの最も外側の頂点と、導管に接続される第２のコネクタの端部に最も近いカフの端部との間の位置まで延在するように、十分な寸法とし得る。
【０２０４】
コネクタは、前記第２のコネクタによってまたはそれを用いて接続または嵌合が行われるときに、第２の内面でシーリングするように構成されてもよく、第２の面は、本体の内面から、側壁面として、半径方向内向きに突出する実質的に半径方向に広がるフランジまたはリップによって規定され、前記側壁面は、面を提供する。
【０２０５】
面は、前記第２のコネクタのそれぞれの面をシールするのに十分な寸法とし得る。
【０２０６】
面は、前記第２のコネクタの一部分または面が嵌合または係合できる、実質的に平面的な面を提供するように構成され得る。
【０２０７】
面は、前記コネクタの前記第２の端部の方に実質的に対面するような向きにされ得る。
【０２０８】
面は、第２のコネクタの側壁、またはレッジ、またはリップまたはベース、または端部を嵌合またはシールするように構成され得る。
【０２０９】
半径方向に広がるフランジまたはリップは、前記内部接続または位置合わせ特徴の少なくとも１つを含み得る。
【０２１０】
少なくとも１つの接続または位置合わせ特徴は、リブまたは突起とし得る。
【０２１１】
面は、１つ以上の内部接続および／または位置合わせ特徴を含んでもよく、１つまたは複数の内部接続および／または位置合わせ特徴は、第２のコネクタの一部分の相反的な形状にされた突出物または凹部とキー結合されるために、同一場所に設置されるかまたは同一場所に設置可能である。
【０２１２】
少なくとも１つの凹部は、コネクタの側壁または内面に設置されてもよく、少なくとも１つの凹部は、前記第２のコネクタの突出物を収容する。
【０２１３】
凹部は、面に設けられた窪みまたは他の表面レリーフ特徴とし得る。
【０２１４】
窪みまたは他の表面レリーフ特徴は、面の切り欠き部とし得る。
【０２１５】
凹部は、前記第２のコネクタが前記第２の内面との嵌合または接続をもたらされるときに、前記第２のコネクタの関連の突出物または他の形状の特徴を収容するかまたは受け入れ可能であるように構成され得る。
【０２１６】
少なくとも１つの突起は、コネクタの側壁または内面に設置されてもよく、少なくとも１つの突起は、前記第２のコネクタの凹部を収容する。
【０２１７】
コネクタは、前記第２のコネクタによってまたはそれを用いて接続または嵌合が行われるときに、少なくとも第３の内面で前記第２のコネクタの外側部分とシーリングするように構成されてもよく、第３の内面は、本体の内面の円周部分によって提供され、前記円周部分は、本体の第１の端部にまたはその近くに、またはコネクタの本体の第２の端部にまたはその近くに設置されてもよく、および第３の内面が接続または嵌合配置構成にされる前記第２のコネクタの外側部分の周りに実質的に連続的におよび実質的にその円周に設置可能であるように設けられ得る。
【０２１８】
位置合わせまたは接続特徴は、本体の第３の内面の少なくとも一部を形成し得る。
【０２１９】
少なくとも１つの凹部は、第３の内面の少なくとも一部を形成し得る。
【０２２０】
少なくとも１つの凹部は、前記第２のコネクタの突出物を収容するような形状にされ得る。
【０２２１】
凹部は一対の肩部を含んでもよく、これら肩部は、肩部の交差点において互いからおよび端部から傾斜し、凹部の端部は、肩部よりも実質的にコネクタの第１の端部の方に設置される。
【０２２２】
少なくとも１つの凹部は、実質的に舌状であっても、および／または実質的に三角形であってもおよび／または実質的に端部の方へテーパが付けられていてもよい。
【０２２３】
凹部は長手方向チャンネルとし得る。
【０２２４】
コネクタは、１つ以上のシール面を含んでもよく、１つ以上のシール面は：
上述のような第１のシール面、
上述のような第２のシール面、
上述のような第３のシール面
のうちの１つ以上によって規定される。
【０２２５】
アダプタが、２つのコネクタ間の接続を促進するように構成されてもよく、第１〜第９の態様のいずれかのコネクタは、アダプタの一部として設けられる。
【０２２６】
呼吸導管アセンブリは：
呼吸導管、および
第１〜第９の態様のいずれかのコネクタ
を含んでもよく、
コネクタは、呼吸導管と結合されるか、またはそれと関連するか、またはそれに関連する。
【０２２７】
コネクタの１つまたは複数の外部位置合わせ特徴は：
コネクタの１つまたは複数の外部位置合わせ特徴および別のコネクタの外部位置合わせ特徴が、位置合わせされていない向きにあるときには、別のコネクタとのコネクタの内部接続特徴の接続を防止する、および／または
コネクタの１つまたは複数の外部位置合わせ特徴および別のコネクタの外部位置合わせ特徴が、位置合わせされた向きにあるときには、別のコネクタとのコネクタの内部接続特徴の接続を可能にする
ような形状にされ得るか、またはそのように構成され得る。
【０２２８】
第１０の態様では、コネクタアセンブリが提供され、コネクタアセンブリは、第１のコネクタおよび第２のコネクタを含み、第１のコネクタは、第２のコネクタと接続するためのものであり、
第１のコネクタは：
第１の端部および第２の端部を含む第１のコネクタ本体であって、内部に、第１および第２の端部のそれぞれの間でガスを通過させるためのルーメンを規定する、第１のコネクタ本体
を含み、
第１の端部は、使用時に、呼吸導管の終端部、または呼吸導管の終端部と関連する構成要素と係合されるかまたは係合可能であり、および
第２の端部は、使用時に、第２のコネクタと係合されるかまたは係合可能であり、および
本体の内面は、１つ以上の内部接続特徴を含み、および
本体の外面は１つ以上の外部位置合わせ特徴を含み、
第２のコネクタは：
第１の端部および第２の端部を含む第２のコネクタ本体であって、本体は、内部に、第１および第２の端部のそれぞれの間でガスを通過させるためのルーメンを規定し、
第１の端部は、使用時に、呼吸導管の終端部、または呼吸チューブの終端部と関連する構成要素と係合されるかまたは係合可能であり、および
第２の端部は、使用時に、第１のコネクタと係合されるかまたは係合可能であり、および
本体の内面は１つ以上の内部接続特徴を含む、第２のコネクタ本体と；
１つ以上の内部接続特徴を取り囲む外壁であって、外壁または外壁の少なくとも外面は、１つ以上の外部位置合わせ特徴を含む、外壁と
を含み、
第１のコネクタの１つまたは複数の外部位置合わせ特徴、および第２のコネクタの１つまたは複数の外部位置合わせ特徴が、位置合わせされた向きにあるとき、第１のコネクタの内部接続特徴、および第２のコネクタの内部接続特徴は、接続のための向きにされている。
【０２２９】
第１のコネクタの１つまたは複数の外部位置合わせ特徴、および第２のコネクタの１つまたは複数の外部位置合わせ特徴が、位置合わせされていない向きにあるとき、第１のコネクタの内部接続特徴、および第２のコネクタの内部接続特徴は、接続が防止される。
【０２３０】
第１のコネクタは、第１および第２の態様のコネクタによって規定される。
【０２３１】
第２のコネクタは、第３、第４または第５の態様のいずれか１つのコネクタによって規定され得る。
【０２３２】
第１のコネクタまたは第２のコネクタの内部接続特徴は、雄型接続特徴としてもよく、および１つ以上の（一対としてもよい）係止指を含んでもよい。
【０２３３】
第１のコネクタまたは第２のコネクタの内部接続特徴は、１つ以上の（一対としてもよい）係止指を含み得る。
【０２３４】
第１および／または第２のコネクタは、１つ以上の外部視覚補助具を含んでもよく、これらは使用時に、前記コネクタをそれらの間が位置合わせされた接続状態にする位置合わせ用の、外部から見えるガイドを提供するように構成される。
【０２３５】
第１および／または第２のコネクタの外壁の外面は、コネクタと実質的に長手方向の方向にテーパが付けられ得る。
【０２３６】
本明細書では、用語「含む（ｃｏｍｐｒｉｓｉｎｇ）」は、「少なくとも一部には〜からなる」を意味する。本明細書では、用語「含む」を含む各ステートメントを解釈するとき、その用語に先行するもの以外の特徴も存在してよい。「含む（ｃｏｍｐｒｉｓｅ）」および「含む（ｃｏｍｐｒｉｓｅｓ）」などの関連する用語は、同じように解釈される。
【０２３７】
本発明はまた、本出願の明細書に言及されるまたは示される複数の部分、要素および特徴に、個別にまたはまとめて、およびいずれかの２つ以上の前記部分、要素または特徴のいずれかまたは全ての組み合わせにあると広く言われてもよく、および本発明が関連する当業界において等価物であると知られている特定の整数が本明細書で述べられる場合、そのような公知の等価物は、個別に記載されるかのように、本明細書に援用されるとみなされる。
【０２３８】
本発明は上記にあり、かつまた、その構成を想定し、以下は、例を挙げるにすぎない。
【０２３９】
本発明の好ましい実施形態は、例としてのみ、および図面を参照して、説明される。
【図面の簡単な説明】
【０２４０】
【図１】第２の端部（コネクタ接続端部）からのコネクタの斜視図である。
【図１Ａ】第２の端部（コネクタ接続端部）からのコネクタの斜視図である。
【図２】図１のコネクタの他方の端部からの斜視図である。
【図２Ａ】図１Ａのコネクタの他方の端部からの斜視図である。
【図２Ｂ】導管および別のコネクタを備えるアセンブリの一部としての、図１Ａおよび図２Ａのコネクタを示す。
【図３】図２のコネクタの側面図である。
【図４】コネクタが９０°回転された別の側面図である。
【図５】図１のコネクタの第２の端部の内部を示す、図である。
【図６】図１のコネクタの第２の端部の内部を示す、別の図である。
【図７】図１のコネクタの第２の端部の内部を示す、さらに別の図である。
【図８】図１のコネクタのｃの中心または中間線を通る横断面である。
【図９】図８に対して軸方向に回転された、図１のコネクタの別の横断面である。
【図１０】図８および図９に対して軸方向に回転された、図１のコネクタのさらに別の横断面である。
【図１１】図１の実施形態に対する代替的な実施形態のコネクタの斜視図である。
【図１２】図１１のコネクタの第２の端部の図である。
【図１３】図１１のコネクタの第２の端部の別の図である。
【図１４】図１１のコネクタの第２の端部のさらに別の図である。
【図１５】図１４および図１６と同じであるが、図１Ａおよび図２Ａのコネクタに関する図である。
【図１６】図１１のコネクタの第２の端部の異なる図である。
【図１７】図１４および図１６と同じであるが、図１Ａおよび図２Ａのコネクタに関する図である。
【図１８】内部特徴を示す、図１１のコネクタを通る横断面である。
【図１９】図１１のコネクタを通る別の断面図である。
【図２０】図１Ａおよび図１Ｂのコネクタを通る断面図である。
【図２１】図２１〜２３により、図１１、図１２、図１３、図１４、図１６および図１９のコネクタが別のコネクタ（図２８〜２９に示すコネクタである）と接続または係合される順序を示す。
【図２２】図２１〜２３により、図１１、図１２、図１３、図１４、図１６および図１９のコネクタが別のコネクタ（図２８〜２９に示すコネクタである）と接続または係合される順序を示す。
【図２３】図２１〜２３により、図１１、図１２、図１３、図１４、図１６および図１９のコネクタが別のコネクタ（図２８〜２９に示すコネクタである）と接続または係合される順序を示す。
【図２４】図２１〜２３に示すコネクタによって行われる係合の斜視図を示す。
【図２５】図２１〜２３によって行われるときの係合の相互接続特徴の横断面を示す。
【図２６】一対の係止指の形態の雄型接続特徴を有する公知のコネクタを示し、そのようなコネクタは、図２１〜２３によって示されるものと同様の方法で、図１のコネクタとの係合をもたらされることができる。
【図２７】一対の係止指の形態の雄型接続特徴を有する公知のコネクタを示し、そのようなコネクタは、図２１〜２３によって示されるものと同様の方法で、図１のコネクタとの係合をもたらされることができる。
【図２８】図２１〜２３に示すコネクタ配置構成の左側の端部コネクタを通る横断面である。
【図２８Ａ】コネクタの斜視図を示す。
【図２８Ｂ１】図２８Ａのコネクタの側面図を示す。
【図２８Ｂ２】図２８Ａのコネクタの上面図を示す。
【図２８Ｃ】図２８Ａ〜２８Ｂ２のコネクタに接続されたランヤードを示す。
【図２８Ｄ】取り付け済みの任意選択的なランヤード、および気管切開用インターフェースとして患者インターフェースを備える、図２８Ａ〜２８Ｂ２のコネクタのアセンブリを示す。
【図２８Ｅ】鼻カニューレとしての患者インターフェースに接続された図２８Ａ〜２８Ｂ２のコネクタのアセンブリを示す。
【図２８Ｆ】ランヤードを備えかつコネクタに接続された、図２８Ａ〜２８Ｂ２のコネクタのアセンブリを示す。
【図２９】図２８のコネクタの外側の斜視図である。
【図２９Ａ−２９Ｂ】図２９に項目「Ａ」または「Ｂ」として囲まれている領域の拡大図である。
【図３０】さらに、カフ配置構成と組み合わせたスイベル型配置構成を示す、別のコネクタの実施形態の横断面である。
【図３１】図３０のコネクタの外側の斜視図である。
【図３２】特に、図２８〜２９によって示すようなコネクタの雄型接続特徴とのフランジまたはリップによる接続を示す。
【図３３Ａ−３３Ｂ】図３３Ａは、カフが使用されるコネクタの本体が、どのように、カフのスプラインまたは他の突出物を受け入れるための溝または他の凹部を含み得るかを示す一方、図３３Ｂは、本体に設置されるカフを示す。
【図３４Ａ】図３４Ａは、斜視図として示される別のコネクタ実施形態である。
【図３４Ｂ−３４Ｃ】図３４Ｂおよび図３４Ｃは、図３４Ａに示すカフの異なる端部の斜視図である。
【図３５】スイベル型コネクタ部品を含む内部部品を示す、図３４Ａのコネクタの中心または中間線を通る横断面である。
【図３５Ａ】コネクタの斜視図である。
【図３５Ｂ】図３５Ａのコネクタの横断面である。
【図３６】コネクタの斜視図である。
【図３６Ａ】図３６のコネクタの端面図である。
【図３７】第２のコネクタと係合状態にあるコネクタを示す。
【図３７Ａ】図３７の横断面を示す。
【図３８】第２のコネクタと係合状態にあるコネクタを示す。
【図３８Ａ】図３８の横断面を示す。
【図３９】第２のコネクタと係合状態にあるコネクタを示す。
【図３９Ａ】図３９の横断面を示す。
【図４０】第２のコネクタと係合状態にあるコネクタを示す。
【図４０Ａ】図４０の横断面を示す。
【図４１】第２のコネクタと係合状態にあるコネクタを示す。
【図４１Ａ】図４１の横断面を示す。
【図４２】第２のコネクタと係合状態にあるコネクタを示す。
【図４２Ａ】図４２の横断面を示す。
【図４３】コネクタと第２のコネクタとの間の係合を示す。
【発明を実施するための形態】
【０２４１】
使いやすさ、ならびに一緒に接続されるべきコネクタの正しい位置合わせの改善に特に重点を置く、新しくかつ異なるコネクタの提供は、患者への加湿ガスまたは他のガスの送達などのガス療法の送達の上首尾な維持において、患者の安全性を改善し得る。
【０２４２】
図１〜２０を参照して説明すると、呼吸導管（図面においてＣとして示す）の終端部に設けられるコネクタ１が提供されている。呼吸導管は医療用呼吸導管とし得る。コネクタ１は、第１の端部５および第２の端部６を有する本体４を含む。本体４自体が、内部に、第１および第２の端部５、６のそれぞれの間をガスが通過するためのルーメン７を規定する。ルーメンを通るガスの流れに依存して、コネクタ１の端部５、６は、それぞれ、呼吸回路に設置されるときに、他方の端部の上流または下流のいずれかであると考えられ得る、例えばガスの流れの方向が、端部５は他方の端部６の流体的に上流または下流のどちらであるかを決定すると認識されたい。
【０２４３】
第１の端部５は、使用時に、呼吸導管Ｃの終端部または少なくとも呼吸チューブの終端部と関連する構成要素に係合されるかまたはそれと係合可能である。
【０２４４】
コネクタ１の第２の端部６は、使用時に、別のコネクタに係合されるかまたはそれと係合可能である。例えば、様々な好ましい実施形態では、コネクタ１の第２の端部６は、別のコネクタの好適に構成された端部と係合され得る。本明細書に示すような好適に構成された他のコネクタは：
−  コネクタ２００の第２の端部５２（例えば図２１〜２５参照）、
−  一対の係止指５４の形態の一対の雄型接続指５３を提供するコネクタ８０の第２の端部１００（図２６、図２７に示すような）（そのようなコネクタ８０は、共通の出願人、Ｆｉｓｈｅｒ  ＆  Ｐａｙｋｅｌ  Ｈｅａｌｔｈｃａｒｅ  Ｌｉｍｉｔｅｄへの国際公開第２０１３／０２２３５６号として公開されているＰＣＴ／ＮＺ２０１２／０００１４２号明細書から既に知られている（その内容を本書に援用する））、
−  コネクタ４０の第２の端部５２（図３０、図３１に示すような）
によって示される。
【０２４５】
本体の内面８は、使用中に内部に受け入られる別のコネクタと接続するように構成された１つ以上の内部接続特徴９を含む。
【０２４６】
本体４の外面１０は、前記コネクタまたは別の接続部を位置合わせして、それらの間が外部で位置合わせされた接続状態にするように構成された１つ以上の外部位置合わせ特徴１１を含む。任意選択的に、またはそれに加えて、１つ以上の外部視覚補助具があってもよく、その少なくとも一部は、コネクタ１または別のコネクタをそれらの間が位置合わせされた接続状態にする位置合わせ用の外部から見えるガイド（例えば２００、４０を付したコネクタの凹部または切り欠き部５７）を提供するように構成される、１２として示される項目を形成し得る。そのような１つまたは複数の視覚補助具はまた、位置合わせ特徴としての二重機能をもたらすように構成され得る。例えば、視覚補助具は、それ自体が視覚補助具から位置合わせ特徴へ移行するようにするために、十分な嵩があるかまたはテーパが付けられた寸法のものとすることができる。
【０２４７】
１つ以上の接続特徴９は、本体４の内部側壁の内表面８から半径方向内向きに延在する１つまたは複数の表面特徴である。
【０２４８】
１つ以上の内部接続特徴９は１つ以上のタブとし得、タブは、内表面８から延在する、隆起した突起である。
【０２４９】
特定の実施形態では、接続特徴９は、それぞれの外部位置合わせ特徴１１および／または対応する外部視覚補助具１２と半径方向に位置合わせされる向きにされ得る。
【０２５０】
図面には一対の接続特徴９を示すが、内表面８の周りにさらなる接続特徴が設けられてもよいことを認識されたい。
【０２５１】
組み立てを比較的簡単にするように促すために、接続特徴９のうちの少なくとも１つは、長手方向に広がるチャンネルまたは凹部１３を含んでもよいし、または接続特徴は、２つ以上の部分に分割されて、そのようなチャンネルまたは凹部１３（またはスロット）を可能にしてもよい。そのようなチャンネルまたは凹部１３は、そのようなスロットに挿入され得る印刷回路板（ＰＣＢ）配置構成（図示せず）を設置、保持、または位置決めするように構成される。チャンネルまたは凹部１３（またはスロット）は、内表面８の周りの他の箇所に設けられ得ることも認識されたい。
【０２５２】
別のコネクタによって接続特徴９との接続を簡単にし、かつその接続を改良するかまたは正しくするのを容易にするために、内面８は、１つ以上の内部位置合わせ特徴１４を含み得る。そのような内部位置合わせ特徴は、例えば別のコネクタのコネクタ特徴が第２の端部において本体４の内部に挿入されるかまたは受け入れられるときに、それと接続して設置される別のコネクタの接続特徴（例えば、本体４の内部空間に延在し得る１つ以上の雄型ロック指）を位置合わせするように構成される。そのようなモードでは、別のコネクタの接続特徴は、コネクタ１の内部接続特徴９との位置合わせされた接続向きがもたらされるような向きにされる（例えば回転されることによって）。例えば、内面８は、使用時に、コネクタと接続するために別のコネクタの雄型接続特徴を位置合わせされた接続向きに回転可能に向けるか、または本体４の内面すなわち内表面８上にまたはその周りに設置された内部接続特徴９の１つ以上と少なくとも接続するように構成された１つ以上の内部位置合わせ特徴１４を有する。
【０２５３】
１つまたは複数の内部位置合わせ特徴９は、本体４の内部側壁の表面、すなわち内表面８から半径方向内向きの方向に延在する１つまたは複数の表面特徴とし得ることを認識されたい。１つまたは複数の内部位置合わせ特徴は、１つ以上のタブの形態としてもよく、タブは、好都合には、隆起した突起である。
【０２５４】
各タブは、一対の肩部をもたらすような形状にされてもよく、各肩部は、肩部の交差点において、互いからおよび端部（例えば頂点、または丸みを帯びた頂点、または、図１Ａ、図２Ａ、図１７、図２０によって示すものなどの平面または曲面）から傾斜している。肩部のそのような端部は、実質的によりコネクタの第２の端部の終端部の方に設置される。このようにして、そのようなタブは、肩部と接触する雄型接続特徴を、各肩部の傾斜を下方に摺動するように案内し得るかまたは促し得、それにより、自動で回転される。
【０２５５】
代替形態では、１つまたは複数の内部位置合わせ特徴１４は、実質的にコネクタ１の長手方向に、および内面８に沿って延在する１つ以上のリブとし得る。任意の数のリブがあってよいが、例えば：１〜１０個のリブ、または２〜８個のリブ、または４〜６個のリブ、または２個のリブ、または３個のリブ、または４個のリブ、または６個のリブ、または８個のリブ、または１０個のリブがあってよい。特に、２組のそのようなリブがあってよく、各組は、３個のそのようなリブを含む。
【０２５６】
また、本体４の内面８上にまたはその周りに設けられた２組以上の内部位置合わせ特徴１４があるとし得るが、最も好都合には、２組のそのような位置合わせ特徴があるとし得る（全体的に周方向に対向するとし得る）。
【０２５７】
１組の内部位置合わせ特徴１４が設けられる場合、各組は、別の組と等しい（すなわち同じ）数のそのような内部位置合わせ特徴を有し得る。
【０２５８】
好ましい一実施形態では、一対の内部位置合わせ特徴１４があり、これは、使用時に、別のコネクタから延在する一対の指（すなわち雄型係止指）を、コネクタ１の前記内面に挿入されるかまたはそれと係合もしくは表面接触して設置されるときに、回転可能に位置合わせする。
【０２５９】
上述の通り、第１の端部５は、呼吸導管の終端部と係合するように構成される。そのような第１の端部は、呼吸導管の終端部に取り付けられるスリーブ状分１５を含み得、それを用いて、空気圧的接続などの好適な接続が行われ得る。スリーブ状分１５の少なくとも一部は、呼吸導管の終端部のルーメンの内面に挿入可能であるかまたはその内部に設置もしくは収納されるように構成される（すなわち、内部接続が行われる）か、またはその代わりに、スリーブ状分が、呼吸導管の終端部の外面に受け入れ可能とし得るかまたは設置もしくは収納され得る（すなわち、外部接続が行われる）。
【０２６０】
１つまたは複数の外部位置合わせ特徴１１および／または１つまたは複数の外部視覚補助具１２を見ると、これらは、本体４の外部側壁の外表面１０から半径方向外向きに延在する外面特徴とし得る。例えば、これらは、タブまたは隆起した突起の形態にあるとし得る。
【０２６１】
一構成では、１つまたは複数の外部位置合わせ特徴１１または視覚補助具１２は、実質的にコネクタの長手方向におよび本体４の外面１０に沿って延在する１つ以上のリブを含み得る。例えば、任意の数のリブがあってよいが、特に好ましいのは：１〜１０個のリブ、または２〜８個のリブ、または４〜６個のリブ、または２個のリブ、または４個のリブ、または６個のリブ、または８個のリブ、または１０個のリブとし得る。
【０２６２】
図１Ａおよび図２Ａは、コネクタの１つまたは複数の外部視覚補助具１２の代替的な構成を示す。１つまたは複数の外部視覚補助具１２は、端部１２Ａ（例えば頂点、または丸みを帯びた頂点、または平面または曲面）および一対の肩部１２Ｂを備える、隆起した突起を含む。肩部１２Ｂは、肩部の交差点において互いからおよび端部から傾斜するように配置される。端部１２Ａは、コネクタの第２の端部６の方に設置され、および肩部は、（第２の端部６よりも）コネクタの第１の端部５の近くに、例えばフランジまたはリップ１６の近くに設置される。
【０２６３】
１つまたは複数の外部視覚補助具１２は、実質的に舌状としても、および／または実質的に三角形としても、および／または実質的に端部の方へテーパが付けられてもよい。
【０２６４】
図２Ｂは、コネクタ１、導管Ｃ、および別のコネクタ２５８を含むアセンブリを示す。別のコネクタ２５８は、例えば、共通の出願人、Ｆｉｓｈｅｒ  ＆  Ｐａｙｋｅｌ  Ｈｅａｌｔｈｃａｒｅ  Ｌｉｍｉｔｅｄへの米国仮特許出願第６２／２５２１４９号明細書および／または米国特許出願第１０／４５２，４４８号明細書（米国特許第６９５３３５４号明細書）に説明されているようなコネクタとし得る（それら双方の内容を本書に援用する）。
【０２６５】
図１５および図１７は、図１Ａおよび図２Ａのコネクタの端面図を示す。
【０２６６】
図２０は、図１Ａおよび図２Ａのコネクタの横断面を示す。
【０２６７】
外部位置合わせ特徴（および／または視覚補助具）は、外面１０の円周上でまたは半径が描く範囲の周面で互いから均等にまたは等距離に間隔を空けられ得るか、配列され得るかまたは配置され得る。
【０２６８】
別の構成では、外部位置合わせ特徴１１および／または視覚補助具１２は、コネクタの実質的に長手方向におよび外面１０に沿って延在する、ある長さの突出物とし得、外面の突出物の高さは、その長さに沿って変化する。例えば、外部位置合わせ特徴および／または視覚補助具の高さは、この長さに沿ってテーパが付けられ得る。
【０２６９】
テーパが設けられる場合、突出物の高さは、高さが：
ａ．外部位置合わせ特徴のベースからコネクタの第２の端部の終端部の方へ延在する方向に低くなるか、または
ｂ．
外部位置合わせ特徴のベースからコネクタの第２の端部の終端部の方へ延在する方向に高くなるか
のいずれかで、テーパが付けられ得る。
【０２７０】
図３は、特に、上記のａ）（すなわち、突出物が第２の端部６の終端部の方に進むにつれて高さが低くなるテーパ）に適合するテーパ付き配置構成を示す。
【０２７１】
他の構成では、実質的に各外部位置合わせ特徴のベースにまたはその方に向けられて設けられるのは、図面では項目１１として特定される、外部位置合わせ特徴を形成し得る段付き突起である。段付き突起は、外部位置合わせ特徴の隣接部分よりも半径方向外向きに延在する突出物である。
【０２７２】
段付き突出物は、それとキー結合され得る好適な形状の部分を同一場所に設置するかまたは同一場所設置をもたらすように構成され得る。段付き突出物は、コネクタ１と別のコネクタとの間を接続するために支持がもたらされるかまたはそれとの接触がもたらされるときに、別のコネクタのスリーブ状分の少なくとも一部の相反的な形状にされた凹部または切り欠き部とキー結合されることができるようにする。
【０２７３】
代替形態では、実質的に各外部位置合わせ特徴のベースにまたはその方に向けられて設けられているのは、凹部または切り欠き部であり、凹部または切り欠き部は、別のコネクタの相反的な形状にされた部分の突起または突出物を受け入れるように構成されている。そのような配置構成は、上述のような相反的なタイプのキー結合を可能にする。そのような状況では、凹部または切り欠き部は、別のコネクタのスリーブ状分の少なくとも一部の相反的な突起または突出物とキー結合されるように、同一場所に設置されるまたは同一場所に設置可能であるように構成され得る。そのような凹部または切り欠き部は、効果的に、それにもたらされて支持され得る鍵の鍵穴の機能を果たす。
【０２７４】
鍵または鍵穴には、様々な形状またはプロファイルが使用され得る。任意の好適な形状が用いられ得るが、特に好ましい形状またはプロファイルは：半円形、三角形、矩形または他の直線的なまたは幾何学的な形状、楕円形状、楔形状を含むことを認識されたい。
【０２７５】
コネクタ１は、さらに、本体４の外面１０から外向きにまたは離れて突出する、半径方向に広がるフランジまたはリップ１６を含み得る。
【０２７６】
そのようなフランジまたはリップ１６は、別のコネクタによって、コネクタ１の外面１０との係合が行われるときの最大係合の点または長さ用の停止端部を効果的に規定し得る。フランジまたはリップはまた、別のコネクタが、それとの実質的に空気圧的な接続を行い得るシール面を提供してもよい。
【０２７７】
フランジまたはリップ１６は、さらに：１）１つ以上の半径方向および／または長手方向の陥凹または溝付き領域１８ａ、または２）１つ以上の半径方向および／または長手方向に延在する突出領域１９ａのうちの一方または双方を含み得る。
【０２７８】
フランジまたはリップ１６はまた、呼吸導管の終端部と、または呼吸導管の終端部と関連する構成要素と係合するように構成されるように、十分に長手方向に広がっているとし得る。
【０２７９】
コネクタ１の１つまたは複数の外部位置合わせ特徴１１は、コネクタ１の１つまたは複数の外部位置合わせ特徴および別のコネクタ（例えばコネクタ４０）の外部位置合わせ特徴が位置合わせされていない向きにあるときに、コネクタの内部接続特徴９と別のコネクタ（例えばコネクタ４０）との接続を防止するような形状にされ得るか、またはそのように構成され得る。
【０２８０】
それに加えてまたはその代わりに、コネクタ１の１つまたは複数の外部位置合わせ特徴１１は、コネクタ１の１つまたは複数の外部位置合わせ特徴１１および別のコネクタ（例えばコネクタ４１）の外部位置合わせ特徴が位置合わせされた向きにあるときに、コネクタの内部接続特徴９と別のコネクタ（例えばコネクタ４０）との接続を可能にするような形状にされ得るか、またはそのように構成され得る。
【０２８１】
任意選択的に、オーバーモールディング（ｏｖｅｒｍｏｕｌｄｉｎｇ）などのシース１７が、本体４の外面を取り囲み得るかまたはその周囲での係合（空気圧的か否かに関わらず）をもたらし得る。そのようなシース１７は、１つ以上の半径方向および／または長手方向の陥凹または溝付き領域１８ｂ、および／または１つ以上の半径方向および／または長手方向に延在する突出領域１９ｂが提供され得る。
【０２８２】
シースの様々な陥凹または溝付き領域１８ｂおよび／または前記延在する突出領域１９ｂは、全体的にまたは少なくとも部分的に、フランジまたはリップ１６の陥凹または溝付き領域１８ａおよび／または前記延在する突出領域１９ａと位置合わせされ得る。
【０２８３】
さらに別の構成では、本体４の内面８は、コネクタ１の第２の端部６の方へ向けて、印刷回路板（ＰＣＢ）配置構成の設置、保持、または位置決めをもたらし得る。例えばＰＣＢは、比較的平面的なプレートに設けられ、かつ本体４内に挿入されてもよい。ＰＣＢは様々な理由で使用されてもよく、いくつかの特定の構成では：制御、感知（例えば温度、湿度、流量）、加熱（例えばヒーター線）または呼吸回路の一部として使用される呼吸導管の他の電子部品のための回路を容易にし得る。
【０２８４】
コネクタ１は、シール面を提供してもよく、そこで、別個の他のコネクタを備える別個の接続が行われ得る。
【０２８５】
第１のシーリングモードでは、コネクタ１は、別のコネクタによってそれに対して別個の接続が行われるときに、シーリングのための第１の別個の面を提供するように構成されてもよく、第１の面は：
−  本体４の外面１０から突出する、半径方向に広がるフランジまたはリップ１６の側壁面２０であって、実質的に側壁２０上で支持する状態にされ得る別のコネクタの終端部の面に対面している側壁２０、または
−  別のコネクタの半径方向外側を向く面１６０（例えば図２９Ｂに示すような）などの、別のコネクタの半径方向外側を向く面上で支持する状態にされるときに、実質的にコネクタ１の第２の端部の終端部にあるまたはそれに向かう内表面８
の一方または双方によって規定される。
【０２８６】
例えば、コネクタ１が、シーリング用の面が少なくとも一部には前記側壁面２０に提供されている第１のシーリングモードに構成されているとき、そのような第１のシーリングモードは、少なくともフランジまたはリップ１６からのかつまた任意選択的にはシース（またはカフ）１７からの、半径方向および／または長手方向に広がる溝を提供することを排除、または回避することが必要である。
【０２８７】
第２のシーリングモードでは、コネクタ１は、別のコネクタ２００の第２のシール面をシールするための第２の端部の本体を提供するように構成されてもよく、第２のシール面は：
−  別のコネクタ２００の第２の端部のベース端部６４にまたはそれに向かって実質的に設けられた内部側壁面６０であって、コネクタ１の第２の端部の本体は、実質的に内部側壁面上に、または別のコネクタ２００のベース端部にあるまたはそれに向かう内部側壁面に沿った箇所にもたらされて支持される、内部側壁面（例えば図２９Ｂの項目１８０を参照）
によって規定される。
【０２８８】
第３のシーリングモードでは、コネクタ１は、別のコネクタ２００の第３のシール面のシーリングのための第２の端部の本体を提供するように構成されてもよく、第３のシール面は：
−  コネクタ１の第２の端部の前記本体が、実質的に、別のコネクタ２００の突起６０Ａの面上に、またはその面に沿った箇所にもたらされて支持されるときに、別のコネクタ２００の第２の端部５２の内部側壁面６０の半径方向内向きに延在する突起６０Ａの内部側壁面６０（例えば、図２９Ａの項目１４０を参照）
によって規定される。
【０２８９】
第４のシーリングモードでは、コネクタ１は、別のコネクタ２００の第４のシール面のシーリングのための第２の端部の本体を提供するように構成され、第４のシール面は：
−  別のコネクタ２００の第２の端部５２の内部側壁面６０であって、内部側壁面は、１つ以上の雄型接続特徴（１つ以上の係止指５４など）から半径方向外向きの肩部６３として延在し、コネクタ１の第２の端部の本体の一部は、実質的に肩部の半径方向外向きの面上にもたらされて支持される、内部側壁面（例えば、図２９Ｂの項目１７０参照）
によって規定される。
【０２９０】
第５のシーリングモードでは、コネクタ１は、別のコネクタ２００の第５のシール面のシーリングのための第２の端部の本体を提供するように構成され、第５のシール面は：
−  １つ以上の雄型接続特徴の半径方向外向きの面、特に別のコネクタ２００の第２の端部内に設置された１つ以上の係止指の半径方向外向きの面（例えば、図２９Ｂの項目１６０参照）
によって規定される。
【０２９１】
第６のシーリングモードでは、コネクタ１は、別のコネクタ２００の第６のシール面のシーリングのための第２の端部の本体を提供するように構成され、第６のシール面は：
−  １つ以上の雄型接続特徴から半径方向外向きに延在する肩部の側面またはレッジであって、特に別のコネクタ２００の第２の端部５２内に設置された１つ以上の係止指から半径方向外向きに延在する半径方向外向きに広がる面またはレッジ（例えば図２９Ａの項目１５０を参照）、または
−  別のコネクタ２００の１つ以上の雄型接続特徴から半径方向外向きに延在する肩部の外縁の内部に床として延在する側面またはベース、例えば別のコネクタ２００の第２の端部内に設置されている床として延在する側面またはベース（例えば図２９Ａの項目１３０参照）
の一方または双方によって規定される。
【０２９２】
本明細書で説明するようなコネクタ１は、患者インターフェースにガスを供給する呼吸導管の終端部に取り付けられた上流のコネクタ部品に特に適用される。コネクタ１は、雌型コネクタおよび雄型コネクタの双方を動作することができ、それにより、使いやすさおよび他のタイプのコネクタへ接続する能力を向上させる（それらの他のコネクタが雄型接続特徴または雌型接続特徴を提供する場合）。
【０２９３】
コネクタ１は、源からガスを供給する呼吸導管用のコネクタとして特に適用され得る。上述の「別のコネクタ」は、限定されるものではないが、供給されたガスを患者インターフェース（例えば、限定されるものではないが、フルフェイスマスク、鼻カニューレ、口−鼻マスク、鼻マスク−およびこれらのそれぞれが、シーリング型または非シーリング型であるかに関わらず）に提供する、呼吸導管用の下流患者インターフェース端部コネクタとし得る。
【０２９４】
図２１〜２５は、コネクタ２００によってコネクタ１と行われる接続を示す。
【０２９５】
また、コネクタと係合されるかまたは係合可能であるように構成された、別のコネクタ（上述したようなもの）または第２のコネクタについて開示する。別のコネクタは、コネクタ１の以下の面のうちの少なくとも１つとの嵌合および／または接続がもたらされ、かつそれとシールし得る：
少なくとも本体４の外面１０。
少なくとも半径方向に広がるフランジまたはリップの側壁。例えば別のコネクタは、本体４の外面１０から突出する半径方向に広がるフランジまたはリップ１６の側壁２０とシールし得る。
コネクタ１の第１の端部に設けられた少なくともカフまたはスリーブ１７の外面。
【０２９６】
図３６および図３６Ａは、第２のコネクタ（例えばコネクタ１）とシーリング配置構成で結合または嵌合されるコネクタについて開示している。このコネクタ２２０は、上述のような別のコネクタとし得る。
【０２９７】
コネクタ２２０は、呼吸導管Ｃの終端部に設けられ得る。その代わりにまたはそれに加えて、コネクタ２２０は、２つのコネクタの接続、すなわち、コネクタ１と、任意の他のコネクタとの接続を容易にし得るアダプタの一部を形成し得る。
【０２９８】
コネクタは、第１の端部２０２および第２の端部２０３を含む本体２０１を有する。第１の端部２０２は、呼吸導管Ｃの終端部と、または少なくとも呼吸導管またはチューブの終端部と関連する構成要素（例えば上述のようなアダプタ）と係合されるかまたは係合可能である。コネクタ２２０の第２の端部２０３は、第２のまたは別のコネクタ（例えば、コネクタ１）と係合されるかまたは係合可能である。コネクタ２２０は、内部に第２の接続部を受け入れるための内部ルーメンまたは通路を含む。
【０２９９】
本体２０１の内面は、１つ以上の内部接続および／または位置合わせ特徴２１０、２１１、２１２を含み得る。内部接続および／または位置合わせ特徴２１０、２１１、２１２は、接続時にまたは接続する最中に、コネクタおよび第２のコネクタ（例えばコネクタ１）のシーリング（空気圧的なまたは他の方法の）および／または位置合わせを容易にし得る。内部接続および／または位置合わせ特徴２１０、２１１、２１２はまた、位置合わせの可視的な印を提供し得るため、使用者は、コネクタ２２０を第２のコネクタと、より簡単に位置合わせして接続できる。内部接続および／または位置合わせ特徴はまた、第２のコネクタに接続されているときに、それとのコネクタ２２０の保持を提供し得る。
【０３００】
内部接続および／または位置合わせ特徴２１０、２１１、２１２は、コネクタ２２０の本体２０１から、または本体２０１の概念的なもしくは実際の内壁もしくは内面から半径方向内向きに突出するリブまたは突起２１１を含み得る。１つまたは複数の突起または１つまたは複数のリブ２１１は、コネクタ２２０の本体２０１の内面の側壁に沿って実質的に長手方向に延在し得る。１つまたは複数の突起または１つまたは複数のリブ２１１は、実質的に第２の端部２０３（例えばコネクタの第２の端部の終端部）からまたはその付近から、コネクタ２２０の第１の端部２０２に向かう方向に延在し得る。
【０３０１】
内部接続および／または位置合わせ特徴２１０、２１１、２１２は、概念的なまたは実際の内壁または内面から半径方向外向きに突出する凹部２１０、２１２を含み得る。少なくとも１つの凹部２１０、２１２は、コネクタの本体２０１の側壁または内面内に設置され得る。いくつかの実施形態では、少なくとも１つの凹部は、前記第２のコネクタが前記コネクタ２２０との嵌合または接続がもたらされるときに、第２のコネクタの１つまたは複数の関連の突出物（例えばコネクタ１の突出物１１）を収容するように構成され得る。
【０３０２】
内部接続および／または位置合わせ特徴２１０、２１１、２１２は、少なくとも一部には、コネクタと別のコネクタとの間に、シーリング、またはシール面を提供し得る。例えば内部接続および／または位置合わせ特徴２１０、２１１、２１２は、それら自体が、またはコネクタの本体の内表面と組み合わせて、第２のコネクタ（例えばコネクタ１）とシールし得る。
【０３０３】
内部接続および／または位置合わせ特徴２１０、２１１、２１２は、第２のコネクタの対応する特徴に適合するような形状にされ得る。コネクタのリブ２１１は、第２のコネクタ（例えばコネクタ１）の対応する凹部（例えばカフまたはスリーブ１７のコネクタ１の長手方向の陥凹または溝付き領域１８ｂ）と適合するように構成され得る。凹部２１０、２１２は、第２のコネクタの対応するリブまたは突起（例えば可視的な位置合わせ特徴１２または突起１６）と適合するように構成され得る。
【０３０４】
内部接続および／または位置合わせ特徴２１０、２１１、２１２は、第２のコネクタの一部分の相反的な形状にされた突出物または凹部とキー結合されるように、同一場所に設置され得るかまたは同一場所に設置可能とし得る。これは、コネクタ２２０と第２のコネクタとの間の位置合わせ機能を提供する１つの機構とし得る。内部接続および／または位置合わせ特徴２１０、２１１、２１２は、結合するための正しい向きにするのを容易にするような形状にされ得るため、コネクタ２２０が第２のコネクタとの接触がもたらされると、コネクタが位置合わせされて、内部接続および／または位置合わせ特徴２１０、２１１、２１２が、第２のコネクタ上にある対応するリブまたは突起、および／または凹部と確実にぴったりと合うようにする。キー結合はまた、結合状態にあるときに、構成要素の互いに対する回転を防止し得る。
【０３０５】
内部接続および／または位置合わせ特徴２１０、２１１、２１２は、コネクタの内面の円周に配置され得る。内部接続および／または位置合わせ特徴２１０、２１１、２１２（例えばリブおよび／または突起）は、コネクタ２２０の本体２０１の内面の円周上に等距離に間隔を空けて設けられ得る。あるいは、内部接続および／または位置合わせ特徴２１０、２１１、２１２は、等距離ではない（すなわち、ある平面に関して非対称的である）ように配置されてもよく、これは、特定の向きにおけるコネクタ２２０と第２のコネクタとの間の接続のみを可能にし得る。
【０３０６】
１つ以上のまたは複数の内部接続および／または位置合わせ特徴２１０、２１１、２１２（リブおよび／または凹部）があってもよく、２個、または３個、または４個、または５個、または６個のリブおよび／または凹部があってもよい。図３６に示すような実施形態では、４個のリブ２１１がある。
【０３０７】
一対の凹部２１０、２１２があってもよい。一対の凹部２１０、２１２は、コネクタ２２０の本体２０１の内面の円周上に等距離に間隔を空けられるように、設置される。あるいは、凹部２１０、２１２は、等距離ではない（すなわち平面の周りで非対称的である）ように配置されてもよい。凹部２１０、２１２は重なるように配置されて、一方が少なくとも部分的に他方に収まるように、または一方が少なくとも部分的に他方によって規定されるようにし得る。
【０３０８】
コネクタ２２０の本体２０１の内面は、少なくとも１つのシール面またはシーリングのための面を含み得る。本明細書で述べるようなシール面は、便宜上および明確にするために、第１、第２および第３のシール面と表示される。しかしながら、コネクタは、必ずしも第１のシール面を含まずに、例えば第３、または第２のシール面を含み得ることを認識されたい。明瞭にするために、特定の番号のシール面を含むことは、それよりも小さい番号の１つまたは複数のシール面を含む必要はない。
【０３０９】
コネクタ２２０は、前記第２のコネクタによってまたはそれを用いて前記第２のコネクタの外側部分との接続または嵌合が行われるときに、前記第２のコネクタの外側部分とのシーリングのための少なくとも第１の内面を提供し得る。第１の内面は、本体２０１の内面の円周部分に設けられる。円周部分は、コネクタ２２０の本体２０１の第２の端部２０３にまたはその近くに設置され得る。第１のシール面は、第２のコネクタの外側部分（例えばコネクタ１のカフまたはスリーブ１７）の周りに実質的に連続的におよび実質的にその円周に設置可能であるように設けられ得る。
【０３１０】
図３７〜４０Ａは、少なくとも第１の内部シール面によって第２のコネクタ（コネクタ１である）とシールするコネクタ２２０の例を示す。
【０３１１】
内部接続および／または位置合わせ特徴２１０、２１１、２１２は、本体の第１の内面の少なくとも一部を形成し得る。１つまたは複数の凹部および／または１つまたは複数のリブまたは１つまたは複数の突起は、第１の内面の少なくとも一部を形成し得る。１つまたは複数の突起または１つまたは複数のリブ２１１は、コネクタ２２０の本体２０１の内面に沿って実質的に長手方向に延在し得る。１つまたは複数の突起または１つまたは複数のリブ２１１は、第２の端部２０３（例えばコネクタの第２の端部の終端部）からまたはその付近から、コネクタ２２０の第１の端部２０２に向かう方向に実質的に延在してもよい。コネクタ１のリブおよび／または突起２１１は、チャンネル１８ｂにまたはそれに沿って部分的にのみ延在し得ることを認識されたい。
【０３１２】
コネクタ２２０の本体２０１の第１の内面は、横断面で見るとき（図３７Ａ、図３８Ａ、図３９Ａおよび図４０Ａの横断面に示すように）、実質的に湾曲し得る。それに加えてまたはその代わりに、第１の内面のプロファイル（例えば第１の内面の曲率半径および曲線の箇所）は、第２のコネクタのカフまたはスリーブ１７の外部プロファイル（例えば外部曲線または曲率）に適合し得る。第１の内面のプロファイルは、第１の内面と第２のコネクタのカフまたはスリーブ１７との間のシーリングを可能にし得る。図３７〜４０Ａは、第１の内面が、第２のコネクタ（例えばコネクタ１）のカフまたはスリーブ１７のプロファイルに適合するようなプロファイルにされている箇所を示す。
【０３１３】
図３７〜４０Ａは、リブまたは突起２１１がスリーブ１７の凹部または長手方向チャンネル１８ｂに延在するコネクタ２２０の一連の実施形態を示す。
【０３１４】
図３７は、第１の内面およびリブまたは突起２１１がコネクタ１のカフまたはスリーブ１７の端部まで、または実質的に端部近くまで延在するコネクタ２２０を示す。図３７Ａは、コネクタ１である第２のコネクタとの接続が完了した状態のコネクタ２２０の横断面を示す。第１の内面は、コネクタ１のカフまたはスリーブ１７の端部を越えて延在し得ることも想定される。
【０３１５】
図３８は、第１の内面およびリブまたは突起２１１が、第２のコネクタ１のカフまたはスリーブ１７の外部プロファイルの最も外側の頂点と、第２のコネクタの終端部（導管Ｃに接続される）に最も近いカフまたはスリーブ１７の端部との間の位置まで延在するコネクタ２２０を示す。図３８Ａは、第２のコネクタ（コネクタ１である）との接続が完了した状態のコネクタ２２０の横断面を示す。
【０３１６】
図３７〜３８Ａの実施形態では、コネクタ２２０は、軟質のゴム引きの材料から作製され得るため、コネクタの第２の端部は、スリーブ１７の頂点の上側を覆って伸張され得る。図３９〜４２Ａの実施形態も、軟質なゴム引きの材料で作製されてもよい。
【０３１７】
コネクタがカフの最大直径を越えては延在しない実施形態（例えば図３９〜４２Ａ）では、コネクタは、剛体材料で作製されてもよい。
【０３１８】
図３９は、第１の内面およびリブまたは突起２１１が、使用中、実質的にコネクタ１のスリーブ１７によって規定された外部プロファイルの最も外側の頂点まで延在するように十分な寸法のものであるコネクタ２２０を示す。
【０３１９】
図４０は、第１の内面およびリブまたは突起２１１が、第２のコネクタ１のカフまたはスリーブ１７の外部プロファイルの最も外側の頂点と、導管Ｃに接続されない、第２のコネクタ１の端部に最も近いカフまたはスリーブ１７の端部との間の位置まで延在する、コネクタ２２０を示す。図４０Ａは、コネクタ１である第２のコネクタとの接続が完了した状態のコネクタ２２０の横断面を示す。
【０３２０】
コネクタ２２０は、前記別のコネクタによってまたはそれを用いて接続または嵌合が行われるときにシーリングのための第２の内面を提供し得る。第２の面は、実質的に半径方向に広がるフランジまたはリップ２０４（例えば図３６および図３６Ａに示すような）によって規定される。フランジまたはリップ２０４は、側壁面として、本体の内面から半径方向内向きに突出する。フランジまたはリップ２０４は、面を提供し得、それに対して、第２のコネクタのそれぞれの面（例えばフランジまたはリップ１２、または終端部）がシールする。
【０３２１】
半径方向に広がるフランジまたはリップ２０４は、前記内部接続または位置合わせ特徴の少なくとも１つを含み得る。少なくとも１つの接続または位置合わせ特徴は、リブまたは突起、または凹部とし得る。少なくとも１つの凹部は、フランジまたはリップ２０４に設置されてもよいし、またはフランジまたはリップ２０４の面に設けられた窪みまたは他の表面レリーフ特徴としてもよい。窪みまたは他の表面レリーフ特徴は、面の切り欠き部としてもよい。
【０３２２】
１つまたは複数の内部接続および／または位置合わせ特徴は、第２のコネクタの一部分の相反的な形状にされた突出物または凹部とキー結合されるように、同一場所に設置されるかまたは同一場所に設置可能であるとし得る。図３７〜４１Ａに示すような実施形態では、コネクタ２２０は、コネクタ１の凹部１８ａと同一場所に設置可能であるリブ２１１を含み得る。コネクタ２２０はまた、フランジまたはリップ２０４に設置された少なくとも１つの凹部２１０を含み得、少なくとも１つの凹部２１０は、第２のコネクタ（コネクタ１である）のリブまたは突出物１１と同一場所に設置可能である。
【０３２３】
凹部は、第２のコネクタが前記第２の内面との嵌合または接続がもたらされると、第２のコネクタの関連の突出物または他の形状の特徴を収容するかまたは受け入れ可能であるように構成され得る。少なくとも１つの突起が、コネクタの側壁または内面に設置され、少なくとも１つの突起は、前記別のコネクタの凹部に収容される。
【０３２４】
フランジまたはリップ２０４の面は、第２のコネクタの一部分または面が嵌合または係合できる、実質的に平面的な面を提供するように構成され得る。面は、前記コネクタ２２０の前記第２の端部２０３の方に実質的に対面するような向きにされ得る。面は、側壁、またはレッジ、またはリップまたはベース、または第２のコネクタの端部と嵌合またはシールし得る。第２のコネクタがコネクタ１であるとき、面は、コネクタ１のフランジまたはリップ１６の対応する面とシールし得る。
【０３２５】
コネクタはまた、第２のコネクタによってまたはそれを用いて第２のコネクタの外側部分との接続または嵌合が行われるときに、第２のコネクタの外側部分をシーリングするための少なくとも第３の内面を提供し得る。第３の内面は、本体の内面の円周部分によって、任意選択的にはコネクタの本体の第１の端部にまたはその近くに設置された前記円周部分によって提供され、および第３の内面が接続または嵌合配置構成にされる前記別のコネクタの外側部分の周りに実質的に連続的におよび実質的にその円周に設置可能であるように提供される。
【０３２６】
コネクタ２２０は、前記第２のコネクタによってまたはそれを用いて前記第２のコネクタの外側部分との接続または嵌合が行われるときに、前記第２のコネクタの外側部分とシーリングするための少なくとも第３の内面を提供し得る。第３の内面は、本体２０１の内面の円周部分によって提供される。円周部分は、コネクタ２２０の本体２０１の第１の端部２０２にまたはその近くに設置され得る。あるいは、他の実施形態（図４１〜４２Ａに示すものなど）では、第３の内面は、本体２０１の第２の端部２０３の近くに設置される。第１のシール面は、前記第２のコネクタの外側部分（例えばコネクタ１の本体４の外面１０）の周りに実質的に連続的におよび実質的にその円周に設置可能であるように提供され得る。
【０３２７】
位置合わせまたは接続特徴は、本体の第３の内面の少なくとも一部を形成し得る。例えば図４１〜４２Ａに示すように、凹部２１２は、シーリングのための第３の内面の一部を形成する。少なくとも１つの凹部は、例えば可視的インジケータ１２などの前記第２のコネクタの突出物を収容するような形状にされ得る。
【０３２８】
凹部は、第２のコネクタの突出物の少なくとも一部を収容しかつシールするように構成され得る。そのため、コネクタ２２０の本体の残りの内面は、第２のコネクタ１の本体４の外面１０の少なくとも一部とシールし得る。
【０３２９】
凹部は一対の肩部を含んでもよく、これら肩部は、肩部の交差点において互いからおよび端部（例えば頂点）から傾斜する。凹部の端部は、実質的に肩部よりもコネクタ２２０の第１の端部の方に設置されている。少なくとも１つの凹部は、実質的に舌状としても、および／または実質的に三角形としてもおよび／または端部の方へ実質的にテーパ状にしてもよい。凹部は、コネクタ２２０の本体内に部分的にのみ延在してもよい（図４２に示すように）。そのようなものとして、コネクタ２２０が第２のコネクタ１に接続されると、コネクタ２２０の本体２０１は、第２のコネクタ１上に部分的にのみ延在し得る。
【０３３０】
その代わりにまたはそれに加えて、凹部は、長手方向チャンネルとし得る（例えば図１のリブ１２を収容するための）。
【０３３１】
図４２〜４２Ａは、少なくとも一部には、第３のシール面によって第２のコネクタ（コネクタ１である）とシールするコネクタ２２０を示す。図４２〜４２Ａの実施形態では、コネクタ２２０は、リブまたは突起１２の一部を含め、第２のコネクタ１の本体４の外面１０の一部とシールする。
【０３３２】
図４３は、第２のコネクタ（例えばコネクタ１）とのコネクタ２２０の接続を示す。第２のコネクタ１はコネクタ２２０内に挿入されて、１つまたは複数の外部位置合わせ特徴１１または視覚補助具１２が、対応する内部接続／位置合わせ特徴２１０、２１２と嵌合され、かつシールされてもよいようにする。コネクタが一緒に嵌合されるため、陥凹または溝付き領域１８Ｂは、リブ２１１と嵌合する（およびシールしていてもよい）。
【０３３３】
上述の通り、コネクタは、第１、第２および第３のシール面のいずれかの組み合わせを含み得ることを認識されたい。
【０３３４】
第２のコネクタは、図３７〜４１に示すように単体としてもよいし、または図４２および図４２Ａに示すように（および上述のようなコネクタ１を参照して）複数の部片から作製されてもよいことも認識されたい。
【０３３５】
上述の説明にも関わらず、コネクタ１と動作的に互換性があるさらなるコネクタ２００および４０が提供され得る。以下の説明は、主に、図２１〜２５および図２８〜３５Ｂに示すようなコネクタ２００および４０を参照して提供される。
【０３３６】
従って、使用者にガスを供給するための導管と一緒に使用するためのコネクタ２００、４０が提供される。
【０３３７】
コネクタ２００、４０は、呼吸導管の終端部に設けられる。コネクタ２００、４０は本体５０を含み、本体は、第１の端部５１および第２の端部５２を含み、本体５０は、内部に、第１および第２の端部のそれぞれの間でガスを通過させるためのルーメン５３を規定している。第１の端部５１は、使用時に、呼吸導管の終端部と、または少なくとも呼吸導管の終端部と関連する構成要素と係合されるかまたは係合可能である。コネクタ２００は、コネクタの本体に接続されたスイベル型コネクタによって呼吸導管の終端部に接続され得る。第２の端部５２は、使用時に、別のコネクタ（本明細書で前述した項目１のコネクタなど）と係合されるかまたは係合可能である。本体の内面は、そこに延在する１つ以上の内部雄型接続特徴５３を含み、前記雄型接続特徴５３を受け入れ可能な別のコネクタの雌型端部または雌型部分と接続するように構成される。雄型内部接続特徴５３は、１つ以上の（一対でもよい）係止指５４を含む。コネクタ２００、４０は：
ａ．１つ以上の内部雄型接続特徴５３を取り囲むものは外壁５５であり、外壁の外面５６はテーパが付けられており、コネクタの実質的に長手方向の方向にテーパが付けられている（例えば、テーパ付き配置構成を説明するために、図３０を参照）、
ｂ．１つ以上の内部雄型接続特徴５３を取り囲むものは外壁５５であり、外壁の外側面または少なくとも外面５６は：コネクタ４０または別のコネクタを、外部で位置合わせされた接続状態に位置合わせするように構成された１つ以上の外部位置合わせ特徴５７を含み、および／または１つ以上の外部視覚補助具は、使用時に、コネクタまたは別のコネクタを位置合わせされた接続状態にする位置合わせ用の外部から見えるガイドを提供するように構成される（例えば、そのような配置構成を説明するために、図２８〜２９を参照）の一方または双方を含む。
【０３３８】
いくつかの実施形態では、コネクタ５１の第１の端部は、外向きに広がるスリーブ部分を含む。外向きに広がった部分は、接続済みの呼吸導管をコネクタ４０に対して動かすことができるようにするため、呼吸導管は、コネクタから損傷されずに、撓んだり曲がったりし得る。さらに、外向きに広がったスリーブ部分はまた、使用者が、他のコネクタとの接続および切り離しをより簡単にするために、コネクタをより良好に掴むことができるようにする。
【０３３９】
コネクタは、少なくとも１つの固定特徴２３１を含み得る。図２８Ａは、固定部２３１が陥凹領域２３２および橋かけ部分２３４によって形成される、コネクタ２００の実施形態を示す。橋かけ部分２３４は、ランヤード（またはランヤードの一部）の接続を可能にして、コネクタ２００に締結されるようにする。ランヤードをコネクタ２００に取り付けるための他の構造特徴（固定特徴２３１を形成する）は、一体型ループまたはクリップなどが想定される。
【０３４０】
図２８Ｂ１は、図２８Ａのコネクタ２００の側面図を示す。コネクタ２００は、一対の固定特徴２３１を含んでもよく（コネクタ２００の側面図においては、単一の固定特徴２３１のみを示すが、第２の固定特徴２３１は見えないように隠れている）、およびそれらは、例えば、コネクタ２００の外周に等距離に設置され得る。図２８Ｂ２は、一対の固定システム２３１を含む、図２８Ａのコネクタ２００の上面図を示す。一対の固定システム２３１は、対向して設置され、固定システム２３１が、コネクタ２００の反対側に設置されるようにする。ランヤード２４０は、これらの固定システム２３１の一方または双方に接続され得る。
【０３４１】
図２８Ｃは、コネクタ２００の固定特徴２３１と締結または係合されたランヤード２４０を示す。ランヤード２４０は、ループ部分２４１を含んでもよく、このループ部分は、橋かけ部２３４の周りに締結されてから、それ自体が引かれて、ランヤード２４０をコネクタ２００にしっかりと関連付ける。その後、ランヤード２４０は、使用者の首、または環境の特徴の周りに置かれ、コネクタ２００、取り付け済みの導管、および／またはインターフェースの重量の少なくともある程度を引き受けるかまたは支持し得る。
【０３４２】
図２８Ｄは、取り付け済みのランヤード２４０（任意選択的）、および導管Ｃを介する気管切開用インターフェース２５０としての患者インターフェースを備えるコネクタ２００を示す。気管切開用インターフェースは気管切開用ガード２５３に接続される。気管切開用ガード２５３は、例えば、共通の出願人、Ｆｉｓｈｅｒ  ＆  Ｐａｙｋｅｌ  Ｈｅａｌｔｈｃａｒｅ  Ｌｉｍｉｔｅｄへの米国仮特許出願第６２／３２９６３８号明細書に説明されるようなものとし得る（その内容を本書に援用する）。
【０３４３】
図２８Ｅは、ランヤードがなく、かつ導管Ｃを介して鼻カニューレ２５１などの患者インターフェースに接続されたコネクタ２００を示す。任意選択的なチューブクリップＴＣが用いられて、導管Ｃに沿って設けられてもよい。チューブクリップＴＣは、その環境においてアイテムに取り付けられるようにするための特徴を含んでもよく、それにより、導管Ｃ、インターフェース２５１または呼吸回路の他の部分の支持を支援する。このようにして、患者または使用者に近い呼吸回路の部分の重量は、支持され得る。
【０３４４】
図２８Ｆは、ランヤード２４０を備え、かつ導管Ｃを介してコネクタ２５２に接続されたコネクタ２００を示す。
【０３４５】
従って、および例えば図３０〜３１を参照して説明すると、使用者にガスを供給するための導管と一緒に使用するためのコネクタ４０も提供される。コネクタは本体５０を含み、本体５０は、第１の端部５１および第２の端部５２を含む。本体５０は、第１および第２の端部のそれぞれの間をガスが通過するためのルーメンを内部に規定する。第１の端部５１は、使用時に、呼吸導管（患者インターフェースに至るチューブなど）の終端部と、または少なくとも呼吸チューブの終端部と関連する構成要素と係合されるかまたは係合可能である。第２の端部５２は、使用時に、別のコネクタと係合されるかまたは係合可能である。本体５０の外面は、少なくとも実質的にコネクタ本体５０の第１の端部５１の周りに設けられるカフ６５を含み（少なくともコネクタ本体５０の第２の端部５２の一部分に部分的に重なり合ってもよい）、前記カフ６５は、第１の端部５１と係合されるかまたは係合可能である呼吸チューブの長さの少なくとも一部にわたって実質的に長手方向に下方に延在し、および前記カフは、伸縮性があるまたは弾性タイプの材料、例えばシリコーンまたは熱可塑性エラストマー（ＴＰＥ）タイプの材料である。
【０３４６】
第２の端部５２の外壁５５の直径は、第２の端部の終端部５８において最小であり（すなわち、外径）、直径（外径）は、第２の端部５２の終端部５８から第１の端部５１の方へ延在する方向に大きくなる。
【０３４７】
１つ以上の係止指５４は、実質的にコネクタ２００、４０の第２の端部５２内に収納され得る。
【０３４８】
１つ以上の内部雄型接続特徴５３（または係止指５４）の外表面と外壁の内表面６０との間に、空間５９が規定される。
【０３４９】
外壁５５は、１つ以上の位置合わせ特徴５７および／または１つ以上の外部視覚補助具を提供するように構成される。１つ以上の位置合わせ特徴５７は、外壁と、別のコネクタ上にある相反的な形状にされた特徴との位置合わせを支援する。外部視覚補助具は、使用者が外壁上の位置合わせ特徴を、１つまたは複数の位置合わせ特徴５７上で支持する状態にされる別のコネクタの相反的な特徴と正しく位置合わせしかつ位置決めするためのグラフィックスまたは他の可視的インジケータを含み得る。
【０３５０】
いくつかの構成では、１つ以上の内部雄型接続特徴５３は、外部位置合わせ特徴５７および／または外部視覚補助具と半径方向に位置合わせされるような向きにされる。これらのもののそれぞれは、組み合わせて、一つのコネクタを別のコネクタと確実に正しく位置合わせするための、可視的インジケータ、ならびに物理的補助具を提供する。
【０３５１】
様々な図面に示すように、例えば図２４〜２５、図３０〜３１を参照して説明すると、１つまたは複数の外部位置合わせ特徴５７は、第２の端部５２の外壁５５の終端部５８または終端面にある１つ以上の切り欠き部とし得る。切り欠き部は、前記外壁が接触するように設置されるコネクタ上にある実質的に相反的な形状にされた部分によって受け入れられるように構成され得る。
【０３５２】
様々な外部位置合わせ特徴５７は、第２の端部の外壁の終端部の面の円周に、互いに均等にまたは等距離に、間隔を空けられ得るか、配列され得るかまたは配置され得る。
【０３５３】
外部位置合わせ特徴５７は、コネクタ２００、４０の第２の端部５２の終端面５８と別のコネクタとが接続されている間、両コネクタ間の接続を支持する状態にされるときに、別のコネクタのスリーブ状分の相反的な形状にされた突出物とキー結合されるように、同一場所に設置されるかまたは同一場所に設置可能であるように構成される。
【０３５４】
コネクタ４０の１つまたは複数の外部位置合わせ特徴５７は、コネクタ４０の１つまたは複数の外部位置合わせ特徴および別のコネクタ（例えばコネクタ１）の外部位置合わせ特徴が位置合わせされていない向きにあるとき、コネクタの内部接続特徴５３と別のコネクタ（例えばコネクタ１）との接続を防止するような形状にされ得るか、またはそのように構成され得る。
【０３５５】
それに加えてまたはその代わりに、コネクタ４０の１つまたは複数の外部位置合わせ特徴５７は、コネクタ４０の１つまたは複数の外部位置合わせ特徴５７および別のコネクタ（例えばコネクタ１）の外部位置合わせ特徴が位置合わせされた向きにあるとき、コネクタの内部接続特徴５３と別のコネクタ（例えばコネクタ１）との接続を可能にするような形状にされ得るか、またはそのように構成され得る。
【０３５６】
係止指５４は、各指５４の外表面に凹部６１を含み得る。そのような凹部６１は、内部接続特徴、例えば項目１として示されるもののようなコネクタの隆起した突起またはロッキングタブ１４などのタブを受け入れるかまたは係合するために設けられる。凹部６１は、別のコネクタ（例えば本明細書では項目１として示されるコネクタ）の内部接続特徴（例えば項目１４）を受け入れるような形状にされ得る。
【０３５７】
係止指の先端６２は、少なくとも部分的に面取りされた構成のものとしてもよく、優先的に、係止指５４が、１４として項目にされるものなどの接続特徴によって係合して受け入れられることができるように支援する。
【０３５８】
切り欠き部として、様々な形状、例えば：半円形、三角形、矩形または他の直線的または幾何学的な形状、楕円形状、楔形状の位置合わせ特徴５７が提供されてもよい。
【０３５９】
様々な構成では、外壁５５は、別のコネクタ（雄型または雌型接続のいずれかに関わらず）とのスリーブ接続がもたらされるための、スリーブとして動作する。一実施形態では、外壁は、雌型接続機能を含む別のコネクタへの２２ｍｍの雄型テーパコネクタとして使用するように構成され、および別の実施形態では、外壁は、雄型接続機能を含む別のコネクタへの２２ｍｍの雌型テーパコネクタとして使用するように構成されたスリーブである。
【０３６０】
コネクタまたは少なくともそれらの本体は、いずれかの医学的に好適な材料で形成され得るが、特に好ましくは、ポリカーボネート（ＰＣ）、ポリエチレン（ＰＥ）、アクリロニトリルブタジエンスチレン（ＡＢＳ）またはポリプロピレン（ＰＰ）である。
【０３６１】
本体の第２の端部５２の内面は、さらに、外壁５５で囲まれた内面によってまたはその内部に受け入れられる別のコネクタの相応の形状にされた部分との係合（例えば締まり嵌め）用の突起を含み得る。例えば、そのような突起は、肩部６３として、１つ以上の係止指５４から半径方向外向きに、または外壁５５の内表面から床として延在するベース６４から延在し得る。肩部はまた、コネクタの第２の端部の開放端部へ向かう方向に長手方向に延在してもよい。または、その代わりにまたはそれに加えて、外壁の内表面は、半径方向内向きに延在する突起６０ａを構成し得る。空間５９が、肩部６３の半径方向外向きの面と外壁または内向きに延在する突起６０ａの内表面との間に規定され、そのような空間は、別のコネクタの終端部、例えば別のコネクタのリップまたはフランジ部分を受け入れ可能であるようなサイズおよび形状にされる。別のコネクタの終端部は、肩部の外向きの面と外壁または突起６０ａの内表面との間の締まり嵌めとして空間内に受け入れられ得る。例えば図３２を参照すると、空間５９において、コネクタ２００として項目にされるもののようなコネクタとそのような締まり嵌めをもたらし得る別のコネクタ９０のリップまたはフランジ（または肩部）９１のアセンブリが示されている。このようにして、リップまたはフランジ９１は、締まり嵌めによって適所に保持され得るかまたは保たれ得、かつまた、これらの部分の間に好適な空気圧シールをもたらし得る。
【０３６２】
その代わりにまたはそれに加えて、肩部６３および外壁の内表面に実質的に隣接、または少なくとも一部当接しているベース６４があり、ベースは、肩部の外縁と壁の内表面との間の床として延在する。ベース６４は、別のコネクタの終端部または終端部の面が係合されて空気圧的接続を形成してもよいシール面を規定し得る。
【０３６３】
コネクタ２００は、ある面の全体に沿って、またはその面に沿った点または特定の箇所での構成部分間のシールとするかどうかに関わらず、シールが形成され得る複数の別個のシール面を提供するように構成される。そのようなものとして、コネクタ２００は、６個の別個のおよび異なるシール面のオプションを提供する。それらのそれぞれについて、下記で説明する。
【０３６４】
第１のシーリングモードでは、コネクタ２００は、別のコネクタ（コネクタ１など）によって別個の接続が行われるときに、シーリングのための第１の別個の面を提供するように構成されてもよく、第１の面は：
−  別のコネクタ１の本体の外面から外向きにまたは離れて突出するフランジまたはリップ１６（または肩部）上で支持する状態にされるときの、コネクタ２００の第２の端部５２の終端面５８（例えば、そのようなシールされた面に関する図２３を参照）
によって規定される。
【０３６５】
第２のシーリングモードでは、コネクタ２００は、別のコネクタ（コネクタ９０など）によって別個の接続が行われるときに、シーリングのための第２の別個の面を提供するように構成されてもよく、第２の面は：
−  実質的にコネクタ２００の第２の端部のベース端部６４にまたはその方に向けられて設けられた内部側壁面６０であって、別のコネクタ９０の一部（肩部を含んでもよい、リップまたはフランジ９１など）は、実質的に、内部側壁面上に、または内部側壁面に沿ったベース端部にあるまたはそれに向けられた箇所にもたらされて支持される、内部側壁面（例えば図２９Ｂの項目１８０を参照）
によって規定される。
【０３６６】
第３のシーリングモードでは、コネクタ２００は、別のコネクタ（コネクタ９０など）によって別個の接続が行われるときに、シーリングのための第３の別個の面を提供するように構成されてもよく、第３の面は：
−  第２の端部５２の内部側壁面６０の半径方向内向きに延在する突起６０Ａの内部側壁面６０であって、別のコネクタ９０の一部（肩部を含んでもよい、リップまたはフランジ９１など）は、実質的に、突起６０Ａの面上に、またはその面に沿った箇所にもたらされて支持される、内部側壁面（例えば、図２９Ａの項目１４０を参照）
によって規定される。
【０３６７】
第４のシーリングモードでは、コネクタ２００は、別のコネクタ（９０など）によって別個の接続が行われるときに、シーリングのための第４の別個の面を提供するように構成されてもよく、第４の面は：
−  コネクタ２００の第２の端部５２の内部側壁面６０であって、内部側壁面は、肩部６３として、前記１つ以上の雄型接続特徴（１つ以上の係止指５４など）から半径方向外向きに延在し、別のコネクタ９０の一部（肩部を含んでもよい、リップまたはフランジ９１など）は、実質的に肩部の半径方向外向きの面上にもたらされて支持される、内部側壁面（例えば、図２９Ｂの項目１７０を参照）
によって規定される。
【０３６８】
第５のシーリングモードでは、コネクタ２００は、別のコネクタ（９０など）によって別個の接続が行われるときに、シーリングのための第５の別個の面を提供するように構成され、第５の面は：
−  １つ以上の雄型接続特徴の半径方向外向きの面、特にコネクタ２００の第２の端部５２内に設置された１つ以上の係止指の半径方向外向きの面（例えば、図２９Ｂの項目１６０を参照）
によって規定される。
【０３６９】
第６のシーリングモードでは、コネクタ２００は、別のコネクタ（９０など）によって別個の接続が行われるときに、シーリングのための第６の別個の面を提供するように構成され、第６の面は：
−  １つ以上の雄型接続特徴から半径方向外向きに延在する肩部の側面またはレッジであって、特にコネクタ２００の第２の端部５２内に設置された１つ以上の係止指から半径方向外向きに延在する半径方向外向きに広がる面またはレッジ（例えば図２９Ａの項目１５０を参照）；または
−  １つ以上の雄型接続特徴からの半径方向外向きに延在する肩部の外縁と壁の内表面との間に床として延在する側面またはベース（例えば図２９Ａの項目１３０を参照）
のうちの一方または双方によって規定される。
【０３７０】
さらに別の構成では、コネクタ本体５０の第１の端部５１の周りにカフ６５が設けられてもよく、およびコネクタ本体の第２の端部５２の一部分に少なくとも部分的に重なり合ってもよい。そのようなカフ６５は、一般に、コネクタ本体５０の周りにオーバーモールドされたオーバーモールド材料であってもよいし、またはカフは、適所に組み立てられる、予め形成された構成要素としてもよい。あるいは、カフは、予め形成されてもよいため、その後、コネクタ本体の上を滑らされるか、またはコネクタ本体上の適所に設置され得る。
【０３７１】
カフ６５は、外壁の外面が、カフとの交差点６６に実質的に当接するかまたは実質的に隣接する状態で、比較的滑らかなまたは連続的な外表面輪郭を提供するように寸法が決められ得る。
【０３７２】
カフは、それ（すなわちカフ）が適所にされるコネクタのインジケータを含んでも、またはコネクタと関連する特定の構成要素または構成要素のサイズの印を提供してもよい（任意選択的に、例えば構成要素が患者インターフェース、例えば鼻カニューレまたはマスクまたは他のそのようなインターフェースである場合）。そのようなインジケータは、色によるものでもよい。
【０３７３】
カフ６５は、コネクタの外壁の外面にまたはそれと実質的に当接するまたは実質的に隣接するときの実質的に円形の外面輪郭形から、実質的に（全体的にでもよい）コネクタ本体の第１の端部の周りに設けられた実質的に正方形の外面輪郭形へ移行するように寸法が決められ得る。このようにして、使用者は、そのようなコネクタ４０を別のコネクタとの接続済みの係合から係合解除するように、より多くのトルクまたは力を加えることができる。
【０３７４】
例えば、特に図３４Ａ〜Ｃを参照すると示されているように、カフ６５は、カフ６５がコネクタ４０の本体と交わるかまたはそれと実質的に隣接して設けられる領域１２１における、実質的に円形のプロファイル（項目１２０によって示す）から、領域１２２における、実質的により正方形または直線的な形状へ移行する。
【０３７５】
図３０および図３５は、さらに、導管の終端部をネジで係合して、それとの係合をもたらし、それゆえ、コネクタ４０のルーメンとの流体連通をもたらすためのネジ山１２３を有するスイベル型コネクタ部品６７を示す。
【０３７６】
カフ６５は、実質的にコネクタ本体５０の第２の端部５２から延在して、前記コネクタが、使用時に、係合されるかまたは係合可能である呼吸チューブまたは導管の外面に重なり合い得るか、または前記カフは、呼吸チューブの終端部と関連する構成要素の少なくとも一部分に重なり合うように延在する。
【０３７７】
カフの外表面は、使用者が力やトルクをカフ（および同様にコネクタ）に加えることができるように摩擦またはグリップを高めるために、テクスチャー加工され得るかまたは他の方法で表面処理され得る。
【０３７８】
カフは、カフが接続される本体５０の外表面上にある好適な形状の凹部または溝７０を係合するために、またはそれに収まるために、内面に１つ以上のスプライン１２４または他の内向きに突出する部分を含み得る。例えば、カフが部分的に透かして見えるようにされた図３３Ａを参照すると、溝７０がコネクタ４０の本体５０の外表面に設けられている。このようにして、カフ６５は、本体上により正確に設置されるだけでなく、使用者がトルクを加えるときに（例えば使用者がそのようなコネクタ４０をコネクタ１などの別のコネクタとの接続から切り離しそうとするときに）本体の周りでカフが不注意に回転する可能性を減らす。図３３Ｂおよび図３４Ｃは、そのままのカフ６５の配置構成を示し、およびスプライン１２４または他の突出物が、より目立っている。
【０３７９】
カフ６５は、弾性材料または伸縮性があるタイプの材料としてもよく、例えばシリコーンまたは熱可塑性エラストマー（ＴＰＥ）とし得ることに認識されたい。
【０３８０】
様々な構成では、カフ６５は、少なくとも一部には張力の緩和を容易にしてもよく、そうでなければ、張力は、呼吸導管と前記第１の端部または第１の端部５１と関連する構成要素との間で行われる係合または接続部に与えられる。
【０３８１】
コネクタ２００、４０と関連し得るさらなる構成要素（例えば図２９に示すようなスイベル型コネクタ部品６７）は、スイベル型配置構成である。目的は、コネクタ２００、４０およびコネクタ本体５０と、導管の終端部への接続、さらにそれとのスイベル（または軸方向に回転可能な）型の接続を提供することである。
【０３８２】
そのようなものとして、スイベル型コネクタ部品６７は、使用時に、コネクタの本体５０の少なくとも一部と接続される。スイベル型コネクタ６７は、導管の終端部と接続するように構成され得、およびスイベル型コネクタは、コネクタの第１の端部５１と接続するように構成される。
【０３８３】
スイベル型コネクタ部品６７は、ネジ山またはネジ式の係合を介して導管の終端部と接続または係合できる。
【０３８４】
スイベル型コネクタ部品６７は、コネクタの本体に接続でき、コネクタ本体とスイベル型コネクタとの相対的な動きが、軸方向には防止されるものの、回転式に可能にされる。
【０３８５】
様々な実施形態では、スイベル型コネクタ部品６７は、コネクタ本体の内表面６９と回転可能なシールを形成する１つまたは複数の面６８を含み得る。例えば、コネクタ４０の内表面６９は、面６８を内部に設置するように境界を定める働きをする一対の壁部分１２５を含んでもよく、コネクタ本体によってスイベル型コネクタ部品６７の軸方向に設置された向きを可能にするようにし、および１つまたは複数の面６８を半径方向に回転できるようにする。このようにして、コネクタ本体とのスイベル型接続が行われる。
【０３８６】
図３５Ａおよび図３５Ｂは、スイベル型コネクタ部品６７をコネクタ４０に取り付けるために、コネクタ４０の本体が取付アーム１２９を含むコネクタ４０を示す。取付アーム１２９は、少なくとも１つの壁部分または取付用かかりまたは保持用突起１２５を含んでもよく、突起１２５は、対応するリップまたはフランジまたはスイベル型コネクタ部品６７の本体の少なくとも一部に係合して、スイベル型コネクタ部品６７を軸方向に保持し得る一方で、コネクタ本体に対するスイベル型コネクタ部品６７の回転を可能にする。保持用突起１２５は、コネクタの第１の端部５１から離れる方向に傾斜面を含み得る。傾斜面は、スイベル型コネクタ部品６７の挿入を可能にし得る。突起１２５はまた、任意選択的にコネクタの本体に対して垂直な方向に、スイベル型コネクタ部品６７の相対的な軸方向の動きを防止するように構成された、実質的に平坦面を含み得る。
【０３８７】
取付アーム１２９は、本体に対して曲がったりまたは撓んだりするために、本体の一部から片側だけ支えられ得る。取付アーム１２９の片側だけ支えられた構成は、取付アーム１２９が外向きに撓んでスイベル型コネクタ部品６７の挿入に対応し得るため、スイベル型コネクタ部品６７の挿入をより簡単にすることができるかもしれない。
【０３８８】
取付アーム１２９は、切り欠き部領域１２８によって取り囲まれてもよく、切り欠き部領域は、取付アームがコネクタ本体に対して撓むことができるようにする。切り欠き部領域１２８は、取付アーム１２９の周りに配置されて、コネクタ４０から少なくとも半径方向外向きの方向における可撓性を促進し得る。
【０３８９】
取付アーム１２９は、スイベル型コネクタ部品６７（例えば面６８）の一部を受け入れるように構成された凹部を含み得る
【０３９０】
本発明の上述の説明は、その好ましい形態を含む。本発明の範囲から逸脱することなく、それらに対し修正が行われてもよい。
【誤訳訂正２】
【訂正対象書類名】特許請求の範囲
【訂正対象項目名】全文
【訂正方法】変更
【訂正の内容】
【特許請求の範囲】
【請求項１】
呼吸導管の終端部に提供されるコネクタであって、前記コネクタは：
第１の端部および第２の端部を含む本体であって、内部に、前記第１および第２の端部のそれぞれの間でガスを通過させるためのルーメンを規定する、本体
を含み、
前記第１の端部は、使用時に、前記呼吸導管の前記終端部、または前記呼吸導管の前記終端部と関連する構成要素と係合されるかまたは係合可能であり、および
前記第２の端部は、使用時に、別のコネクタと係合されるかまたは係合可能であり、および
前記本体の内面は、そこに延在する１つ以上の内部雄型接続特徴を含み、それら内部雄型接続特徴は、前記内部雄型接続特徴を受け入れることができる別のコネクタの雌型端部または雌型部分と接続するように構成され、前記内部雄型接続特徴は、１つ以上の係止指を含み、および
前記コネクタは、さらに、前記１つ以上の内部雄型接続特徴を取り囲む外壁を含み、前記外壁の外面はテーパが付けられており、前記コネクタの長手方向にテーパが付けられている、コネクタ。
【請求項２】
前記内部雄型接続特徴は一対の係止指を含む、請求項１に記載のコネクタ。
【請求項３】
前記コネクタの前記外壁は、さらに：
１つ以上の外部位置合わせ特徴であって、
前記コネクタの前記外壁、または
前記コネクタ、または
別の接続
を、前記コネクタと別のコネクタの間が外部で位置合わせされた接続状態に、位置合わせするように構成された１つ以上の外部位置合わせ特徴と、
および／または
１つ以上の外部視覚補助具であって、
使用時に、前記コネクタまたは別のコネクタをそれらの間が位置合わせされた接続状態にする位置合わせ用の、外部から見えるガイドを提供するように構成されている、１つ以上の外部視覚補助具と、
を含む、請求項１または２に記載のコネクタ。
【請求項４】
呼吸導管の終端部に提供されるコネクタであって、前記コネクタは：
第１の端部および第２の端部を含む本体であって、内部に、前記第１および第２の端部のそれぞれの間でガスを通過させるためのルーメンを規定する、本体
を含み、
前記第１の端部は、使用時に、前記呼吸導管の前記終端部、または前記呼吸導管の前記終端部と関連する構成要素と係合されるかまたは係合可能であり、および
前記第２の端部は、使用時に、別のコネクタと係合されるかまたは係合可能であり、および
前記本体の内面は、そこに延在する１つ以上の内部雄型接続特徴を含み、それら内部雄型接続特徴は、前記内部雄型接続特徴を受け入れ可能な別のコネクタの雌型端部または雌型部分と接続するように構成され、前記内部雄型接続特徴は、１つ以上の係止指を含み、および
前記コネクタは、さらに、前記１つ以上の内部雄型接続特徴を取り囲む外壁を含み、前記外壁または前記外壁の少なくとも外面は：
１つ以上の外部位置合わせ特徴であって、
前記コネクタの前記外壁、または
前記コネクタ、または
別のコネクタ
を、前記コネクタと別のコネクタの間が外部で位置合わせされた接続状態に、位置合わせするように構成された１つ以上の外部位置合わせ特徴と、
および／または
１つ以上の外部視覚補助具であって、
使用時に、前記コネクタまたは別のコネクタをそれらの間が位置合わせされた接続状態にする位置合わせ用の、外部から見えるガイドを提供するように構成されている、１つ以上の外部視覚補助具と、
を含む、コネクタ。
【請求項５】
前記内部雄型接続特徴は一対の係止指を含む、請求項４に記載のコネクタ。
【請求項６】
前記１つ以上の内部雄型接続特徴は、前記１つ以上の外部位置合わせ特徴および／または前記１つ以上の外部視覚補助具と半径方向に位置合わせされるような向きにされている、請求項３〜５のいずれか１項に記載のコネクタ。
【請求項７】
前記１つまたは複数の外部位置合わせ特徴は、前記第２の端部の前記外壁の終端部の面に１つ以上の凹部または切り欠き部を含み、前記凹部または切り欠き部は、別のコネクタ上にある相反的な形状にされた部分によって受け入れられるように構成され、そこに前記外壁が接触して設置されている、請求項３〜６のいずれか１項に記載のコネクタ。
【請求項８】
前記前記相反的な形状にされた部分は突起または突出物である、請求項７に記載のコネクタ。
【請求項９】
前記コネクタの前記第２の端部の終端面と前記別のコネクタとの間に接続が確立されているときに、前記外部位置合わせ特徴は、別のコネクタのスリーブ状分の相反的な形状にされた突出物とキー結合されるように、該突出物と同一場所に設置されるかまたは同一場所に設置可能であるように構成される、請求項３〜８のいずれか１項に記載のコネクタ。
【請求項１０】
前記凹部または切り欠き部は、それとの接続がもたらされる構成要素を受け入れ、それとの接続がもたらされる構成要素の相反的な形状にされた突起または突出物を相反的に設置するように構成されている、請求項７または８に記載のコネクタ。
【請求項１１】
前記コネクタの前記１つまたは複数の外部位置合わせ特徴は：
前記コネクタの前記１つまたは複数の外部位置合わせ特徴および別のコネクタの外部位置合わせ特徴が、位置合わせされていない向きにあるときには、前記コネクタの前記内部雄型接続特徴と別のコネクタとの接続を防止する、および／または
前記コネクタの前記１つまたは複数の外部位置合わせ特徴および別のコネクタの外部位置合わせ特徴が、位置合わせされた向きにあるときには、前記コネクタの前記内部雄型接続特徴と別のコネクタとの接続を可能にする
ような形状にされるか、またはそのような構成にされる、請求項３〜１０のいずれか１項に記載のコネクタ。
【請求項１２】
前記第２の端部の外壁の直径は、前記第２の端部の終端部において最小であり、前記直径は、前記第２の端部の前記終端部から前記第１の端部の方へ延在する方向に大きくなる、請求項１〜１１のいずれか１項に記載のコネクタ。
【請求項１３】
前記１つ以上の内部雄型接続特徴の外表面と前記外壁の内表面との間に空間が規定される、請求項１〜１２のいずれか１項に記載のコネクタ。
【請求項１４】
前記係止指は、各前記指の外表面に凹部を含み、前記凹部は、それと接続するように構成された別のコネクタの内部接続特徴を受け入れる、請求項１〜１３のいずれか１項に記載のコネクタ。
【請求項１５】
前記凹部は、別のコネクタの前記内部接続特徴を受け入れるような形状にされている、請求項１４に記載のコネクタ。
【請求項１６】
前記コネクタの前記第２の端部の前記外壁の終端面にまたは該終端面から延在する、長手方向に広がる突起が設けられており、前記突起は、前記コネクタの前記第２の端部の前記外壁の終端面の隣接部分よりも長手方向に延在する突出物である、請求項１〜１５のいずれか１項に記載のコネクタ。
【請求項１７】
前記コネクタと前記別のコネクタとの間に接続が確立されているときに、前記突起は、別のコネクタの一部分の少なくとも一部の相反的な形状にされた凹部または切り欠き部とキー結合されるように、該凹部又は切り欠き部と同一場所に設置されるかまたは同一場所に設置可能であるように構成される、請求項１６に記載のコネクタ。
【請求項１８】
前記コネクタの前記本体は、前記コネクタの前記第１の端部に設置された、外向きに広がった部分を含む、請求項１〜１７のいずれか１項に記載のコネクタ。
【請求項１９】
前記本体の前記第２の端部の前記内面は、さらに、前記外壁によって囲まれる前記内面によってまたはその内部に受け入れられる別のコネクタの相応の形状にされた部分との係合用の突起を含む、請求項１〜１８のいずれか１項に記載のコネクタ。
【請求項２０】
前記突起は、
前記１つ以上の係止指、
前記外壁の前記内表面から床として延在するベース
の１つ以上から半径方向外向きに延在する、請求項１９に記載のコネクタ。
【請求項２１】
前記肩部は、前記コネクタの前記第２の端部の開放端部へ向かう方向に長手方向に延在している、請求項２０に記載のコネクタ。
【請求項２２】
前記肩部の半径方向外向きの面と前記外壁の内表面との間に空間が規定され、前記空間は、別のコネクタの終端部を受け入れることができ、前記別のコネクタの前記終端部は、前記肩部の前記外向きの面と前記外壁の前記内表面との間に締まり嵌めとして受け入れられる、請求項２０または２１に記載のコネクタ。
【請求項２３】
前記ベースは、別のコネクタの終端部または終端部の面が係合され得る、シール面を規定する、請求項２０〜２２のいずれか１項に記載のコネクタ。
【請求項２４】
前記シール面と、前記別のコネクタの終端部または終端部の面とが、空気圧的接続を形成する、請求項２３に記載のコネクタ。
【請求項２５】
スイベル型コネクタ部品が、使用時に、前記コネクタの前記本体に接続される、請求項１〜２４のいずれか１項に記載のコネクタ。
【請求項２６】
前記スイベル型コネクタは、導管の前記終端部と接続されるように構成され、および前記スイベル型コネクタは、前記コネクタの前記本体と接続されるように構成される、請求項２５に記載のコネクタ。
【請求項２７】
前記スイベル型コネクタ部品は、ネジ山を介して前記導管に接続される、請求項２５または２６に記載のコネクタ。
【請求項２８】
前記スイベル型コネクタは、前記コネクタの前記本体の前記内表面と回転可能なシールを形成する１つまたは複数の面を含む、請求項２５〜２７のいずれか１項に記載のコネクタ。
【請求項２９】
呼吸導管、および
請求項１〜２８のいずれか１項に記載のコネクタ
を含む、呼吸導管アセンブリであって、
前記コネクタは、前記呼吸導管と結合される、呼吸導管アセンブリ。